(57)【要約】  本発明のケア計画出力装置、該方法および該システムは、複数のケア対象者それぞれに対応付けられた複数のケア計画を記憶し、前記複数のケア対象者の中から選択されたケア対象者を取得し、前記記憶した複数のケア計画に基づいて、所定の時点を基準に、所定の順で、前記取得したケア対象者における未実施のケア計画要素をソートし、このソートされた順で表示するように、未実施のケア計画要素を出力する。そして、本発明の被監視者監視システムは、前記ケア計画出力装置を含む。
2018110294.tif 000002
【特許請求の範囲】
【請求項１】
互いに対応付けられたケアの実施予定時刻とケアの種類との組をケア計画要素として１または複数備えるケア計画を出力するケア計画出力装置であって、
複数のケア対象者それぞれに対応付けられた複数のケア計画を記憶するケア計画情報記憶部と、
前記複数のケア対象者の中から選択されたケア対象者を取得する選択ケア対象者取得部と、
前記ケア計画情報記憶部に記憶した複数のケア計画に基づいて、所定の時点を基準に、所定の順で、前記選択ケア対象者取得部で取得したケア対象者における未実施のケア計画要素をソートするケア計画ソート処理部と、
前記ケア計画を表示する場合に前記ケア計画ソート処理部でソートされた順で表示するように、前記ケア計画ソート処理部でソートした未実施のケア計画要素を出力するケア計画出力処理部とを備える、
ケア計画出力装置。
【請求項２】
前記ケア計画ソート処理部は、前記ケア計画情報記憶部に記憶した複数のケア計画における未実施のケア計画要素が実施済みに変更された場合に、前記変更後の複数のケア計画に基づいて、再度、ソートする、
請求項１に記載のケア計画出力装置。
【請求項３】
前記ケア計画情報記憶部に記憶した複数のケア計画における未実施のケア計画要素が実施済みに変更された場合に、前記実施済みに変更されたケア計画要素の次回の実施予定時刻を求め、前記求めた実施予定時刻と前記実施済みに変更されたケア計画要素のケアの種類とを互いに対応付けて前記ケア計画情報記憶部に記憶することによって、前記ケア計画情報記憶部に記憶した複数のケア計画を更新するケア計画更新処理部をさらに備え、
前記ケア計画ソート処理部は、前記変更後であって前記更新後の複数のケア計画に基づいて、再度、ソートする、
請求項２に記載のケア計画出力装置。
【請求項４】
前記ケア計画は、所定の時間間隔で実施されるケアを含み、
前記所定の順は、前記実施予定時刻順である、
請求項３に記載のケア計画出力装置。
【請求項５】
前記ケア計画は、１日における定時刻で実施されるケアを含み、
前記所定の順は、前記実施予定時刻順である、
請求項３または請求項４に記載のケア計画出力装置。
【請求項６】
計時を行う時計部をさらに備え、
前記ケア計画出力処理部は、前記時計部から時刻を取得し、前記ケア計画ソート処理部でソートした未実施のケア計画要素の中に、実施予定時刻が前記時計部から取得した時刻よりも前であるケア計画要素が有る場合には、前記ケア計画を表示する場合に、実施予定時刻を経過したケア計画要素が有る旨の警告を表示するように、前記ケア計画ソート処理部でソートした未実施のケア計画要素を出力する、
請求項１ないし請求項５のいずれか１項に記載のケア計画出力装置。
【請求項７】
互いに対応付けられたケアの実施予定時刻とケアの種類との組をケア計画要素として１または複数備えるケア計画を出力するケア計画出力方法であって、
複数のケア対象者それぞれに対応付けられた複数のケア計画をケア計画情報記憶部に記憶するケア計画情報記憶工程と、
前記複数のケア対象者の中から選択されたケア対象者を取得する選択ケア対象者取得工程と、
前記ケア計画情報記憶部に記憶した複数のケア計画に基づいて、所定の時点を基準に、時刻に関する所定の優先順で、前記選択ケア対象者取得工程で取得したケア対象者における未実施のケア計画要素をソートするケア計画ソート処理工程と、
前記ケア計画を表示する場合に前記ケア計画ソート処理工程でソートされた順で表示するように、前記ケア計画ソート処理工程でソートした未実施のケア計画要素を出力するケア計画出力処理工程とを備える、
ケア計画出力方法。
【請求項８】
ケア計画を管理する第１中央管理装置と、前記第１中央管理装置に通信可能に接続される第１端末装置とを備えるケア計画出力システムであって、
前記第１中央管理装置は、請求項１ないし請求項６のいずれか１項に記載の前記ケア計画出力装置を含み、前記ケア計画出力処理部は、前記ケア計画ソート処理部でソートした未実施のケア計画要素を前記第１端末装置へ前記出力として送信し、
前記第１端末装置は、前記ケア計画ソート処理部でソートした未実施のケア計画要素を前記第１中央管理装置から受信した場合に、前記受信した、前記ケア計画ソート処理部でソートした未実施のケア計画要素を、前記ケア計画ソート処理部でソートされた順で表示する、
ケア計画出力システム。
【請求項９】
前記第１端末装置は、タッチパネルと、前記タッチパネルに表示を行う表示処理部と、前記第１中央管理装置との通信を処理する通信処理部とを備え、
前記表示処理部は、前記ケア計画ソート処理部でソートした未実施のケア計画要素を、ケアの種類名で、前記ケア計画ソート処理部でソートされた順で表示し、
前記タッチパネルにおける、前記ケアの種類名を表示する領域は、ケアの種類に対応して作成された前記ケアの内容をケア記録として入力するための記録書式を前記タッチパネルに表示させる指示を入力するためのボタンであり、
前記通信処理部は、前記ボタンの入力操作を受け付けた場合に、前記入力操作を受け付けたボタンに表示されたケアの種類名に対応する記録書式を要求するための第１通信信号を前記第１中央管理装置へ送信し、記録書式を収容した第２通信信号を前記第１中央管理装置から受信した場合に、前記第２通信信号に収容された記録書式を前記表示処理部によって前記タッチパネルに表示させる、
請求項８に記載のケア計画出力システム。
【請求項１０】
前記第１端末装置は、前記記録書式を用いてケアの内容を受け付けた場合に、前記受け付けたケアの内容を収容する第３通信信号を前記第１中央管理装置へ送信するケア記録処理部をさらに備え、
前記ケア計画情報記憶部は、ケア計画要素が未実施であるか実施済みであるかを表す実施状態情報を、前記ケア計画要素に、さらに対応付けて記憶し、
前記第１中央管理装置は、前記第３通信信号を前記第１端末装置から受信した場合に、前記ケア計画情報記憶部に記憶した複数のケア計画において、前記受信した第３通信信号に収容されたケアに対応する未実施のケア計画要素を実施済みに変更するケア計画処理部をさらに備える、
請求項９に記載のケア計画出力システム。
【請求項１１】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する第２中央管理装置、および、前記第２中央管理装置と通信可能に接続され前記第２中央管理装置を介して前記センサ装置で検知されたイベントの通知を受ける第２端末装置を備え、前記被監視者を監視するための被監視者監視システムであって、
前記第２中央管理装置は、請求項１ないし請求項６のいずれか１項に記載の前記ケア計画出力装置を含み、前記ケア計画出力処理部は、前記ケア計画ソート処理部でソートした未実施のケア計画要素を前記第２端末装置へ前記出力として送信し、
前記第２端末装置は、前記ケア計画ソート処理部でソートした未実施のケア計画要素を前記第２中央管理装置から受信した場合に、前記受信した、前記ケア計画ソート処理部でソートした未実施のケア計画要素を、前記ケア計画ソート処理部でソートされた順で表示し、
前記ケア対象者は、前記被監視者である、
被監視者監視システム。
【発明の詳細な説明】
【技術分野】
【０００１】
本発明は、看護計画や介護計画等のケア計画を出力するケア計画出力装置、ケア計画出力方法およびケア計画出力システム、ならびに、前記ケア計画出力装置を含む被監視者監視システムに関する。
【背景技術】
【０００２】
我が国（日本）は、高齢化社会、より詳しくは、高齢化率が２１％を超える超高齢化社会になっている。このような高齢化社会では、病気や怪我や高齢等による看護や介護を必要とする要看護者や要介護者等は、高齢化社会ではない通常の社会で生じる要看護者や要介護者等よりもその増加が見込まれる。これら要看護者や要介護者等は、病院や、老人福祉施設（日本の法令では老人短期入所施設、養護老人ホームおよび特別養護老人ホーム等）等の施設に入所し、その看護や介護を受ける。このような施設では、看護計画や介護計画等のケア計画が作成（立案、策定）され、ケア計画に従って要看護者や要介護者等（ケア対象者）がケアされる。このようなケア計画に関する技術の一つとして、例えば特許文献１にケア計画作成システムが開示されている。【０００３】
ところで、看護師や介護者等（ケア者）は、通常、ケア計画に従って所定のケアを、要看護者や要介護者等（ケア対象者）に実施する。しかしながら、ケア計画は、通常、事前に計画され作成されるため、このような事前に決定した固定的なケア計画では、ケア対象者の事情や状況を考慮して決められた所定の時間間隔で実施されるケアに適切に対応することが難しい。
【先行技術文献】
【特許文献】
【０００４】
【特許文献１】特開２００３−９９５３７号公報
【発明の概要】
【０００５】
本発明は、上述の事情に鑑みて為された発明であり、その目的は、ケア対象者の事情や状況に応じたより適切なケアを実施できるケア計画出力装置、ケア計画出力方法およびケア計画出力システムを提供することである。そして、本発明の目的は、前記ケア計画出力装置を含む被監視者監視システムを提供することである。
【０００６】
上述した目的を実現するために、本発明の一側面を反映したケア計画出力装置、ケア計画出力方法およびケア計画出力システムは、複数のケア対象者それぞれに対応付けられた複数のケア計画を記憶し、前記複数のケア対象者の中から選択されたケア対象者を取得し、前記記憶した複数のケア計画に基づいて、所定の時点を基準に、所定の順で、前記取得したケア対象者における未実施のケア計画要素をソートし、このソートされた順で表示するように、未実施のケア計画要素を出力する。そして、本発明の一側面を反映した被監視者監視システムは、前記ケア計画出力装置を含む。
【０００７】
発明の１または複数の実施形態により与えられる利点および特徴は、以下に与えられる詳細な説明および添付図面から十分に理解される。これら詳細な説明及び添付図面は、例としてのみ与えられるものであり本発明の限定の定義として意図されるものではない。
【図面の簡単な説明】
【０００８】
【図１】実施形態における被監視者監視システムの構成を示す図である。
【図２】前記被監視者監視システムにおけるセンサ装置の構成を示す図である。
【図３】前記被監視者監視システムにおける管理サーバ装置の構成を示す図である。
【図４】前記管理サーバ装置に記憶される監視情報テーブルの構成を示す図である。
【図５】前記管理サーバ装置に記憶されるケア計画情報テーブルの構成を示す図である。
【図６】前記管理サーバ装置に記憶されるケア記録情報テーブルの構成を示す図である。
【図７】前記管理サーバ装置に記憶される次回ケア情報テーブルの構成を示す図である。
【図８】前記被監視者監視システムにおける携帯端末装置の構成を示す図である。
【図９】前記携帯端末装置に表示される待受け画面の一例を示す図である。
【図１０】前記携帯端末装置に表示される監視情報画面の一例を示す図である。
【図１１】前記携帯端末装置に表示されるナースコール受付画面の一例を示す図である。
【図１２】前記管理サーバ装置の動作を示すフローチャートである。
【図１３】図１２に示すケア計画の処理を示すフローチャートである。
【図１４】図１２に示すケア記録の処理を示すフローチャートである。
【図１５】前記被監視者監視システムにおけるケア計画表示の動作を示すシーケンス図である。
【図１６】前記携帯端末装置に表示されるサブメニュー画面の一例を示す図である。
【図１７】前記携帯端末装置に表示される対象者選択画面の一例を示す図である。
【図１８】前記被監視者監視システムにおける第１態様のケア計画表示画面の一例を示す図である。
【図１９】前記携帯端末装置に表示される食事ケア用記録書式画面の一例を示す図である。
【図２０】前記携帯端末装置に表示されるモーニングケア用記録書式画面の一例を示す図である。
【図２１】前記被監視者監視システムにおける第２態様のケア計画表示画面の一例を示す図である。
【図２２】前記被監視者監視システムにおける第３態様のケア計画表示画面の一例を示す図である。
【発明を実施するための形態】
【０００９】
以下、図面を参照して、本発明の１または複数の実施形態が説明される。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１０】
実施形態における被監視者監視システムは、監視すべき（見守るべき）監視対象（見守り対象）である被監視者（見守り対象者）Ｏｂを監視するものであり、本実施形態では、前記被監視者Ｏｂをケア対象者とし、ケア計画を出力するケア計画出力システムを含む。ケア計画は、互いに対応付けられたケアの実施予定時刻とケアの種類との組をケア計画要素として１または複数備える計画であり、ケア対象者に対応して作成（立案、策定、計画）される。この被監視者監視システムは、本実施形態では、前記被監視者（すなわち、前記ケア対象者）Ｏｂに対応して設けられ、前記被監視者Ｏｂに関わる所定のイベントを検知するセンサ装置、前記センサ装置と通信可能に接続され、前記センサ装置で検知されて前記センサ装置から受信したイベントを管理する中央管理装置、および、前記中央管理装置と通信可能に接続され前記中央管理装置を介して前記センサ装置で検知されたイベントの通知を受ける端末装置を備える。この中央管理装置は、ケア計画を出力するケア計画出力装置を含む。このケア計画出力装置（中央管理装置）は、本実施形態では、複数のケア対象者Ｏｂそれぞれに対応付けられた複数のケア計画を記憶するケア計画情報記憶部と、前記複数のケア対象者の中から選択されたケア対象者を取得する選択ケア対象者取得部と、前記ケア計画情報記憶部に記憶した複数のケア計画に基づいて、所定の時点を基準に、所定の順で、前記選択ケア対象者取得部で取得したケア対象者における未実施のケア計画要素をソートするケア計画ソート処理部と、前記ケア計画を表示する場合に前記ケア計画ソート処理部でソートされた順で表示するように、前記ケア計画ソート処理部でソートした未実施のケア計画要素を出力するケア計画出力処理部とを備える。前記端末装置は、１種類の装置であって良いが、本実施形態態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（ケア者、ユーザ）に携行されて運用される点であり、これら固定端末装置と携帯端末装置とは、略同様である。このような被監視者監視システムについて、以下、より具体的に説明する。なお、ケア計画出力システムを含む被監視者監視システムでは、被監視者監視システムにおける被監視者Ｏｂおよび監視者（ユーザ）は、それぞれ、ケア計画出力システムにおけるケア対象者Ｏｂおよびケア者に対応する。
【００１１】
図１は、実施形態における被監視者監視システムの構成を示す図である。図２は、前記被監視者監視システムにおけるセンサ装置の構成を示す図である。図３は、前記被監視者監視システムにおける管理サーバ装置の構成を示す図である。図４は、前記管理サーバ装置に記憶される監視情報テーブルの構成を示す図である。図５は、前記管理サーバ装置に記憶されるケア計画情報テーブルの構成を示す図である。なお、図５において、第８番目のレコードに登録されている斜体字のデータは、後述の更新処理で追加されたデータである。図６は、前記管理サーバ装置に記憶されるケア記録情報テーブルの構成を示す図である。図７は、前記管理サーバ装置に記憶される次回ケア情報テーブルの構成を示す図である。図８は、前記被監視者監視システムにおける携帯端末装置の構成を示す図である。
【００１２】
より具体的には、被監視者監視システムＭＳは、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数のセンサ装置ＳＵ−１〜ＳＵ−４、管理サーバ装置ＳＶ、固定端末装置ＳＰおよび構内交換機ＣＸは、集線装置ＬＳに接続され、複数の携帯端末装置ＴＡ−１、ＴＡ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００１３】
構内交換機（回線切換機）ＣＸは、ネットワークＮＷに接続され、携帯端末装置ＴＡ同士における発信、着信および通話等の内線電話の制御を行って前記携帯端末装置ＴＡ同士の内線電話を実施し、そして、例えば固定電話網や携帯電話網等の公衆電話網ＰＮを介して例えば固定電話機や携帯電話機等の外線電話機ＴＬに接続され、外線電話機ＴＬと携帯端末装置ＴＡとの間における発信、着信および通話等の外線電話の制御を行って外線電話機ＴＬと携帯端末装置ＴＡとの間における外線電話を実施するものである。構内交換機ＣＸは、例えば、デジタル交換機や、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅＸｃｈａｎｇｅ）等である。
【００１４】
被監視者監視システムＭＳは、被監視者Ｏｂに応じて適宜な場所に配設される。被監視者（見守り対象者）Ｏｂは、本実施形態では上述したようにケア対象者Ｏｂであり、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００１５】
センサ装置ＳＵは、ネットワークＮＷを介して他の装置ＳＶ、ＳＰ、ＴＡと通信する通信機能等を備え、被監視者Ｏｂに関わる所定のイベント（事象）を、管理サーバ装置ＳＶへ通知する装置である。前記所定のイベント（事象）は、好適には対処が必要な所定のイベントであり、例えば、本実施形態では、被監視者Ｏｂにおける予め設定された所定の行動およびナースコールである。このため、本実施形態では、センサ装置ＳＵは、被監視者Ｏｂにおける所定の行動を検知して検知結果を前記所定のイベントの一例として管理サーバ装置ＳＶへ通知（送信）し、ナースコールを受け付けて前記ナースコールを前記所定のイベントの他の一例として管理サーバ装置ＳＶへ通知（送信）し、そして、端末装置ＳＰ、ＴＡとの間で音声通話を行う装置である。このようなセンサ装置ＳＵは、例えば、図２に示すように、センサ部１１と、センサ側音入出力部（ＳＵ音入出力部）１２と、ナースコール受付操作部１３と、センサ側制御処理部（ＳＵ制御処理部）１４と、センサ側通信インターフェース部（ＳＵ通信ＩＦ部）１５と、センサ側記憶部（ＳＵ記憶部）１６とを備える。
【００１６】
センサ部１１は、ＳＵ制御処理部１４に接続され、ＳＵ制御処理部１４の制御に従って、被監視者Ｏｂにおける予め設定された所定の諸量を検出する装置である。前記所定の諸量は、被監視者Ｏｂにおける検知すべき所定の行動に応じて適宜に決定される。本実施形態では、前記所定の行動は、例えば、被監視者Ｏｂが起きた起床、被監視者Ｏｂが寝具から離れた離床、被監視者Ｏｂが寝具から落ちた転落、および、被監視者Ｏｂが倒れた転倒の４つの行動である。センサ部１１は、これらを画像から検知するために、例えば、撮像部を備える。
【００１７】
前記撮像部は、ＳＵ制御処理部１４に接続され、ＳＵ制御処理部１４の制御に従って、画像（画像データ）を生成する装置である。前記画像には、静止画（静止画データ）および動画（動画データ）が含まれる。前記撮像部は、監視すべき監視対象である被監視者Ｏｂが所在を予定している空間（所在空間、図１に示す例では配設場所の居室（部屋）ＲＭ）を監視可能に配置され、前記所在空間を撮像対象としてその上方から撮像し、前記撮像対象を俯瞰した画像（画像データ）を生成し、前記撮像対象の画像（対象画像）をＳＵ制御処理部１４へ出力する。好ましくは、監視対象の被監視者Ｏｂ全体を撮像できる蓋然性が高いことから、前記撮像部は、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。センサ装置ＳＵは、この前記撮像部によって、被監視者Ｏｂを、被監視者Ｏｂの上方から撮像した画像、好ましくは前記頭部予定位置の直上から撮像した画像を取得する。
【００１８】
このような前記撮像部は、可視光の画像を生成する装置であって良いが、比較的暗がりでも被監視者Ｏｂを監視できるように、本実施形態では、赤外線の画像を生成する装置である。このような前記撮像部は、例えば、本実施形態では、撮像対象における赤外の光学像を所定の結像面上に結像する結像光学系、前記結像面に受光面を一致させて配置され、前記撮像対象における赤外の光学像を電気的な信号に変換するエリアイメージセンサ、および、エリアイメージセンサの出力を画像処理することで前記撮像対象における赤外の画像を表すデータである画像データを生成する画像処理回路等を備えるデジタル赤外線カメラである。前記撮像部の前記結像光学系は、本実施形態では、その配設された居室ＲＭ全体を撮像できる画角を持つ広角な光学系（いわゆる広角レンズ（魚眼レンズを含む））であることが好ましい。
【００１９】
本実施形態では、センサ部１１は、カメラを備えるので、センサ装置ＳＵは、動画を含む画像を生成して端末装置ＳＰ、ＴＡへ動画を配信する。
【００２０】
なお、センサ部１１は、前記所定の行動の他の１つとして、覚醒および睡眠それぞれを検知するために、ドップラセンサをさらに備えても良い。このドップラセンサは、送信波を送信し、物体で反射した前記送信波の反射波を受信し、前記送信波と前記反射波とに基づいてドップラ周波数成分のドップラ信号を出力する体動センサである。前記物体が動いている場合、いわゆるドップラ効果により前記物体の動いている速度に比例して反射波の周波数がシフトするため、送信波の周波数と反射波の周波数とに差（ドップラ周波数成分）が生じる。前記ドップラセンサは、このドップラ周波数成分の信号をドップラ信号として生成し、ＳＵ制御処理部１４へ出力する。前記送信波は、超音波やマイクロ波等であって良いが、本実施形態では、マイクロ波である。マイクロ波は、着衣を透過して被監視者Ｏｂの体表で反射できるため、被監視者Ｏｂが衣服を着ていても体表の動きを検知でき、好ましい。ドップラセンサを用いた覚醒の検知には、例えば、“増田裕太、山地隆行、「マイクロ波センサによる睡眠状態可視化技術」、マルチメディア、分散、協調とモバイル（ＤＩＣＯＭＯ２０１４）シンポジウム、平成２６年７月、ｐ１７００−ｐ１７０３”の文献に開示された技術や、“山本康平、橘素子他、「マイクロ波を用いた遠隔・非接触な体動計測に基づく睡眠深度推定」、Ｔｈｅ  ２９ｔｈ  Ａｎｎｕａｌ  Ｃｏｎｆｅｒｅｎｃｅ  ｏｆ  ｔｈｅ  Ｊａｐａｎｅｓｅ  Ｓｏｃｉｅｔｙ  ｆｏｒ  Ａｒｔｉｆｉｃｉａｌ  Ｉｎｔｅｋｋｉｇｅｎｃｅ，２０１５の文献に開示された技術等の公知技術が用いられる。
【００２１】
ＳＵ音入出力部１２は、音を入出力する回路である。すなわち、ＳＵ音入出力部１２は、ＳＵ制御処理部１４に接続され、ＳＵ制御処理部１４の制御に従って音を表す電気信号に応じた音を生成して出力するための回路であって、外部の音を取得してセンサ装置ＳＵに入力するための回路である。ＳＵ音入出力部１２は、例えば、音の電気信号（音データ）を音の機械振動信号（音響信号）に変換するスピーカ等と、可聴領域の音の機械振動信号を電気信号に変換するマイクロフォン等とを備えて構成される。ＳＵ音入出力部１２は、外部の音を表す電気信号をＳＵ制御処理部１４へ出力し、また、ＳＵ制御処理部１４から入力された電気信号を音の機械振動信号に変換して出力する。
【００２２】
ナースコール受付操作部１３は、ＳＵ制御処理部１４に接続され、ナースコールを当該センサ装置ＳＵに入力するための例えば押しボタン式スイッチ等のスイッチ回路である。なお、ナースコール受付操作部１３は、有線でＳＵ制御処理部１４に接続されて良く、また、例えばＢｌｕｅｔｏｏｔｈ（登録商標）規格等の近距離無線通信でＳＵ制御処理部１４に接続されて良い。
【００２３】
ＳＵ通信ＩＦ部１５は、ＳＵ制御処理部１４に接続され、ＳＵ制御処理部１４の制御に従って通信を行うための通信回路である。ＳＵ通信ＩＦ部１５は、ＳＵ制御処理部１４から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＶ、ＳＰ、ＴＡへ送信する。ＳＵ通信ＩＦ部１５は、ネットワークＮＷを介して他の装置ＳＶ、ＳＰ、ＴＡから通信信号を受信し、この受信した通信信号からデータを取り出し、この取り出したデータをＳＵ制御処理部１４が処理可能な形式のデータに変換してＳＵ制御処理部１４へ出力する。ＳＵ通信ＩＦ部１５は、例えば、ＩＥＥＥ８０２．１１規格等に従った通信インターフェース回路を備えて構成される。
【００２４】
ＳＵ記憶部１６は、ＳＵ制御処理部１４に接続され、ＳＵ制御処理部１４の制御に従って、各種の所定のプログラムおよび各種の所定のデータを記憶する回路である。前記各種の所定のプログラムには、例えば、センサ装置ＳＵの各部を当該各部の機能に応じてそれぞれ制御するＳＵ制御プログラムや、被監視者Ｏｂに対する監視に関する所定の情報処理を実行するＳＵ監視処理プログラム等の制御処理プログラムが含まれる。前記ＳＵ監視処理プログラムには、被監視者Ｏｂにおける所定の行動を検知して検知結果を前記所定のイベント（事象）の一例として管理サーバ装置ＳＶを介して所定の端末装置ＳＰ、ＴＡへ通知する行動検知処理プログラムや、ナースコール受付操作部１３でナースコールを受け付けた場合にその旨を前記所定のイベントの他の一例として管理サーバ装置ＳＶへ通知し、ＳＵ音入出力部１２等を用いることで端末装置ＳＰ、ＴＡとの間で音声通話を行うナースコール処理プログラムや、センサ部１１の前記撮像部で生成した動画を、その動画を要求した端末装置ＳＰ、ＴＡへストリーミングで配信するＳＵストリーミング処理プログラム等が含まれる。前記各種の所定のデータには、自機の、センサ装置ＳＵを特定し識別するための識別子であるセンサ装置識別子（センサＩＤ）、および、管理サーバ装置ＳＶの通信アドレス等の、各プログラムを実行する上で必要なデータ等が含まれる。ＳＵ記憶部１６は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＵ記憶部１６は、前記所定のプログラムの実行中に生じるデータ等を記憶するいわゆるＳＵ制御処理部１４のワーキングメモリとなるＲＡＭ（Ｒａｎｄｏｍ  Ａｃｃｅｓｓ  Ｍｅｍｏｒｙ）等を含む。
【００２５】
ＳＵ制御処理部１４は、センサ装置ＳＵの各部を当該各部の機能に応じてそれぞれ制御し、被監視者Ｏｂに関わる所定のイベント（事象）を、管理サーバ装置ＳＶへ通知するための回路である。より具体的には、本実施形態では、ＳＵ制御処理部１４は、被監視者Ｏｂにおける所定の行動を検知してその検知結果を前記所定のイベントの一例として管理サーバ装置ＳＶへ通知（報知、送信）し、ナースコールを受け付けてそのナースコールを前記所定のイベントの他の一例として管理サーバ装置ＳＶへ通知（報知、送信）し、端末装置ＳＰ、ＴＡとの間で音声通話を行い、動画を含む画像を生成して端末装置ＳＰ、ＴＡへ動画を配信する。ＳＵ制御処理部１４は、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１４は、前記制御処理プログラムが実行されることによって、センサ側制御部（ＳＵ制御部）１４１、行動検知処理部１４２、ナースコール処理部１４３およびセンサ側ストリーミング処理部（ＳＵストリーミング処理部）１４４を機能的に備える。
【００２６】
ＳＵ制御部１４１は、センサ装置ＳＵの各部を当該各部の機能に応じてそれぞれ制御し、センサ装置ＳＵの全体制御を司るものである。
【００２７】
行動検知処理部１４２は、被監視者Ｏｂにおける、予め設定された所定の行動を検知して検知結果を前記所定のイベントの一例として管理サーバ装置ＳＶへ通知するものである。より具体的には、行動検知処理部１４２は、例えば、撮像部１１で撮像した対象画像に基づいて被監視者Ｏｂの頭部を検出し、この検出した被監視者Ｏｂの頭部における大きさの時間変化に基づいて被監視者Ｏｂの起床、離床、転倒および転落を検知する。より詳しくは、まず、寝具ＢＴの所在領域、および、第１ないし第３閾値Ｔｈ１〜ＴＨ３が前記各種の所定のデータの１つとして予めＳＵ記憶部１６に記憶される。前記第１閾値Ｔｈ１は、寝具ＢＴの所在領域内における横臥姿勢の頭部の大きさと座位姿勢の頭部の大きさとを識別するための閾値である。前記第２閾値Ｔｈ２は、寝具ＢＴの所在領域を除く居室ＲＭ内における立位姿勢の頭部の大きさであるか否かを識別するための閾値である。前記第３閾値Ｔｈ３は、寝具ＢＴの所在領域を除く居室ＲＭ内における横臥姿勢の頭部の大きさであるか否かを識別するための閾値である。そして、行動検知処理部１４２は、まず、対象画像から例えば背景差分法やフレーム差分法によって被監視者Ｏｂの人体領域として動体領域を抽出する。次に、行動検知処理部１４２は、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出する。そして、行動検知処理部１４２は、この抽出した頭部の位置および大きさから起床、離床、転倒および転落を検知する。例えば、行動検知処理部１４２は、この抽出した頭部の位置が寝具ＢＤの所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、行動検知処理部１４２は、この抽出した頭部の位置が寝具ＢＤの所在領域内から寝具の所在領域外へ時間変化した場合であって、前記抽出した頭部の大きさが前記第２閾値Ｔｈ２を用いることによって或る大きさから立位姿勢の大きさへ時間変化した場合には、離床と判定し、前記離床を検知する。例えば、行動検知処理部１４２は、この抽出した頭部の位置が寝具ＢＤの所在領域内から寝具ＢＤの所在領域外へ時間変化した場合であって、前記抽出した頭部の大きさが前記第３閾値Ｔｈ３を用いることによって或る大きさから横臥姿勢の大きさへ時間変化した場合には、転落と判定し、前記転落を検知する。例えば、行動検知処理部１４２は、この抽出した頭部の位置が寝具ＢＤの所在領域を除く居室ＲＭ内であって、前記抽出した頭部の大きさが前記第３閾値Ｔｈ３を用いることによって或る大きさから横臥姿勢の大きさへ時間変化した場合には、転倒と判定し、前記転倒を検知する。
【００２８】
なお、センサ部１１が前記ドップラセンサを備える場合には、行動検知処理部１４２は、前記公知技術を用いることによって前記ドップラセンサの出力に基づいて被監視者Ｏｂの覚醒および睡眠それぞれを検知する。
【００２９】
このように前記所定の行動を検知すると、行動検知処理部１４２は、被監視者Ｏｂに関わる所定のイベント（事象）の内容を表すイベント情報（事象情報）を収容した、前記イベントを通知するための第１イベント通知通信信号をＳＵ通信ＩＦ部１５で管理サーバ装置ＳＶへ通知する。より詳しくは、行動検知処理部１４２は、自機のセンサＩＤ、前記イベントの内容を表すイベント情報、前記所定の行動の検知に用いられた対象画像を収容した通信信号（第１イベント通知通信信号）を、ＳＵ通信ＩＦ部１５を介して管理サーバ装置ＳＶへ送信する。前記イベント情報は、本実施形態では、起床、離床、転落、転倒およびナースコール（ＮＣ）のうちの１または複数であり、ここでは、行動検知処理部１４２は、検知した起床、離床、転落および転倒のうちの１または複数を前記イベント情報として第１イベント通知通信信号に収容する。前記画像は、静止画および動画のうちの少なくとも一方であって良く、本実施形態では、まず、静止画が報知され、ユーザの要求に応じて動画が配信される。なお、まず、動画が配信されても良く、また、静止画および動画が送信され、画面分割で静止画および動画が端末装置ＳＰ、ＴＡに表示されても良い。なお、第１イベント通知通信信号には、前記所定の行動やナースコールの検知時刻がさらに収容されても良い。
【００３０】
ナースコール処理部１４３は、ナースコール受付操作部１３でナースコールを受け付けた場合にその旨を前記所定のイベントの他の一例として収容した第１イベント通知通信信号を管理サーバ装置ＳＶへ通知し、ＳＵ音入出力部１２等を用いることで端末装置ＳＰ、ＴＡとの間で音声通話を行うものである。より具体的には、ナースコール処理部１４３は、ナースコール受付操作部１３が入力操作されると、自機のセンサＩＤおよび前記イベント情報としてナースコールを収容した第１イベント通知通信信号をＳＵ通信ＩＦ部１５を介して管理サーバ装置ＳＶへ送信する。そして、ナースコール処理部１４３は、ＳＵ音入出力部１２等を用い、端末装置ＳＰ、ＴＡとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００３１】
ＳＵストリーミング処理部１４４は、通信ＩＦ部３を介して固定端末装置ＳＰまたは携帯端末装置ＴＡから動画の配信の要求があった場合に、この要求のあった固定端末装置ＳＰまたは携帯端末装置ＴＡへ、センサ部１１の前記撮像部で生成した動画（例えばライブの動画）をストリーミング再生でＳＵ通信ＩＦ部１５を介して配信するものである。
【００３２】
図１には、一例として、第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００３３】
管理サーバ装置ＳＶは、ネットワークＮＷを介して他の装置ＳＵ、ＴＡ、ＳＰと通信する通信機能を備え、センサ装置ＳＵから前記所定のイベントの通知を受けると、被監視者Ｏｂに対する監視に関する情報（監視情報（本実施形態では例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等））を管理し、前記所定のイベントを所定の端末装置ＳＰ、ＴＡへ通知（再通知、再報知、送信）し、クライアント（本実施形態では端末装置ＳＰ、ＴＡ等）の要求に応じたデータを前記クライアントに提供し、ケア計画出力システムを含む被監視者監視システムＭＳ全体を管理する装置である。そして、本実施形態では、管理サーバ装置ＳＶは、複数の被監視者（ケア対象者）Ｏｂそれぞれにおける複数のケア計画を管理し、そして、前記複数の被監視者（ケア対象者）Ｏｂそれぞれに対し実施したケアの内容をケア記録として管理する。すなわち、管理サーバ装置ＳＶは、本実施形態では、ケア計画を出力するケア計画出力装置を含む。このような管理サーバ装置ＳＶは、例えば、図３に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００３４】
ＳＶ通信ＩＦ部２１は、ＳＵ通信ＩＦ部１５と同様に、ＳＶ制御処理部２２に接続され、ＳＶ制御処理部２２の制御に従って通信を行うための通信回路である。ＳＶ通信ＩＦ部２１は、例えば、ＩＥＥＥ８０２．１１規格等に従った通信インターフェース回路を備えて構成される。後述するように、複数のケア対象者の中から選択されたケア対象者は、通信信号に収容されて端末装置ＳＰ、ＴＡから管理サーバ装置ＳＶへ送信され、このＳＶ通信ＩＦ部２１で受信される。このため、本実施形態では、ＳＶ通信ＩＦ部２１は、前記複数のケア対象者の中から選択されたケア対象者を取得する選択ケア対象者取得部の一例に相当する。
【００３５】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視処理プログラムや、被監視者（ケア対象者）Ｏｂにおけるケア計画に関する所定の情報処理を実行するケア計画処理プログラムや、被監視者Ｏｂにおけるケア記録に関する所定の情報処理を実行するケア記録処理プログラムや、計時を行う時計プログラム等の制御処理プログラムが含まれる。前記各種の所定のデータには、自機の、管理サーバ装置ＳＶを特定し管理サーバ装置ＳＶを識別するための識別子であるサーバ識別子（サーバＩＤ）や、被監視者Ｏｂの前記監視情報や、前記所定のイベントの通知先等の装置ＳＵ、ＳＰ、ＴＡ間の情報を表す装置間情報や、センサ装置ＳＵに関するセンサ情報や、ケア計画に関するケア計画情報や、実施したケアの内容をケア記録として入力するための、予め用意された所定の様式の記録書式に関する書式情報や、実施したケアの内容の記録であるケア記録情報や、ケアの次回の実施に関する次回ケア情報等の各プログラムを実行する上で必要なデータ等が含まれる。これら監視情報、装置間情報、センサ情報、ケア計画情報、書式情報、ケア記録情報および次回ケア情報それぞれを記憶するために、ＳＶ記憶部２３は、サーバ側監視情報記憶部（ＳＶ監視情報記憶部）２３１、装置間情報記憶部２３２、センサ情報記憶部２３３、ケア計画情報記憶部２３４、書式情報記憶部２３５、ケア記録情報記憶部２３６および次回ケア情報記憶部２３７を機能的に備える。
【００３６】
ＳＶ監視情報記憶部２３１は、各装置ＳＵ、ＳＰ、ＴＡそれぞれとの間で送受信した被監視者Ｏｂの監視情報を記憶するものである。より具体的には、ＳＶ監視情報記憶部２３１には、本実施形態では、前記監視情報として、第１イベント通知通信信号および後述の対応有意思通知通信信号等の通信信号に収容された各情報に基づいて、センサＩＤ、イベント情報（事象情報、本実施形態では起床、離床、転落、転倒およびナースコール）、受信時刻（または検知時刻）、対象画像（静止画および動画）および対応の受付の有無（対処の有無）が互いに対応付けて記憶される。
【００３７】
この監視情報は、本実施形態では、テーブル形式でＳＶ監視情報記憶部３２１に記憶されている。この監視情報を登録するサーバ側監視情報テーブル（ＳＶ監視情報テーブル）ＭＴ−ＳＶは、例えば、図４に示すように、各装置ＳＵ、ＳＰ、ＴＡから受信した通信信号に収容されたセンサＩＤを登録するセンサＩＤフィールド２３１１と、前記受信した通信信号に収容されたイベント情報を登録するイベントフィールド（イベントフィールド）２３１２と、前記受信した通信信号の受信時刻を登録する受信時刻フィールド２３１３と、前記受信した通信信号に収容された前記静止画を登録する静止画フィールド２３１４と、ライブ動画の取得先として、前記受信した通信信号に収容されたセンサＩＤに対応するセンサ装置ＳＵの通信アドレス（例えばＩＰアドレス等）を登録する動画フィールド２３１５と、前記受信した通信信号に収容されたイベント情報に対する対応の受付の有無を登録する対応フィールド２３１６とを備え、前記受信した通信信号ごと（各イベントごと）にレコードを備える。静止画フィールド２３１４には、例えば、静止画の画像データが登録されて良く、また例えば、静止画の画像データのファイル名が登録されて良い。対応フィールド２３１６には、後述するように、前記受信した通信信号に収容されたイベント情報に対する対処（対応、処置、措置）する意思がある旨（“対応する”）を端末装置ＳＰ、ＴＡで受け付けたか否かを表すフラグ（対応フラグ）が登録される。例えば、本実施形態では、対応フィールド２３１６には、前記受信した通信信号に収容されたイベント情報（イベントフィールド２３１２に登録されたイベント情報）に対処する意思がある旨（“対応する”）を端末装置ＳＰ、ＴＡで受け付けたことを意味する対応フラグ「１」、あるいは、前記受信した通信信号に収容されたイベント情報に対処する意思がある旨（“対応する”）を端末装置ＳＰ、ＴＡで受け付けていないことを意味する対応フラグ「０」が登録される。なお、デフォルトでは、対応フィールド２３１６には、未受付を意味する対応フラグ「０」が登録される。なお、第１イベント通知通信信号に、前記所定の行動を検知した検知時刻または前記ナースコールを受け付けたナースコール受付時刻が収容されている場合には、受信時刻に代え、前記検知時刻または前記ナースコール受付時刻が登録されても良い。
【００３８】
装置間情報記憶部２３２は、前記装置間情報を記憶するものである。本実施形態では、前記装置間情報は、通知先対応関係を表す情報と通信アドレス対応関係を表す情報とを備える。前記通知先対応関係は、センサ装置ＳＵから送信された第１イベント通知通信信号等の通知先（再通知先、再報知先、送信先）を示す、送信元であるセンサＩＤと通知先（再通知先）である端末ＩＤとの対応関係である。なお、このセンサＩＤと端末ＩＤとの対応関係は、多対１であって良く、あるいは、１対多であっても良く、あるいは、多対多であって良い。前記通信アドレス対応関係は、各装置ＳＵ、ＳＰ、ＴＡのＩＤ（センサＩＤ、端末ＩＤ）とその通信アドレスとの対応関係である。端末ＩＤは、端末装置ＳＰ、ＴＡを特定し端末装置ＳＰ、ＴＡを識別するための識別子である。前記通信アドレス対応関係は、予め装置間情報記憶部２３２に記憶され、前記通知対応関係は、例えば端末装置ＳＰ、ＴＡから入力され、ネットワークＮＷを介して管理サーバ装置ＳＶの装置間情報記憶部２３２に予め記憶される。
【００３９】
センサ情報記憶部２３３は、前記センサ情報を予め記憶するものである。本実施形態では、前記センサ情報は、センサ装置ＳＵのセンサＩＤと、その配設場所と、それによって監視される被監視者（ケア対象者）Ｏｂの被監視者名（ケア対象者名）とを互いに対応付けた情報である。
【００４０】
ケア計画情報記憶部２３４は、前記ケア計画情報を記憶するものである。前記ケア計画は、ケア対象者に実施される予定のケアのスケジュールであり、互いに対応付けられたケアの実施予定時刻とケアの種類との組をケア計画要素として１または複数備えてなる。そして、本実施形態では、ケア計画要素が未実施であるか実施済みであるかを表す実施状態情報（実施フラグ）が前記ケア計画要素に対応付けられてケア計画情報記憶部２３４に記憶される。前記ケアの実施予定時刻は、ケアを実施する予定の時刻である。前記ケアの種類名は、看護の実務や介護の実務等のケアの実務に応じて種々であり、任意である。前記ケアの種類名として、例えば、定期性を有するケアとして、日々実施される、モーニングケア（着替え、洗面および義歯装着等）、食事ケア（朝食ケア、昼食ケア、夕食ケア）、間食ケア、投薬ケア、歯磨きケア、水分補給ケア、バイタルチェック、イブニングケア（着替え、歯磨き、義歯外し、ベッド移乗等）、巡回、および、体位交換等、ならびに、曜日ごとや日にちごとに実施される、入浴ケア、リハビリ、レクリエーション、往診、身体清拭および体重測定等が挙げられ、また例えば、場所に依存するケアとして、排泄ケア等が挙げられる。このようなケア計画は、複数の被監視者（ケア対象者）Ｏｂそれぞれに作成される。前記モーニングケアは、ケア対象者（被監視者）Ｏｂが起床した場合に実施される、少なくとも着替えを含むケアである。前記水分補給ケアは、ケア対象者Ｏｂにおける水分の補給に関するケアである。前記排泄ケアは、ケア対象者Ｏｂにおける排泄に関するケアである。この排泄ケアには、ケア対象者Ｏｂの排泄を介助する排泄介助、および、ケア対象者Ｏｂのおむつを交換するおむつ交換のうちの少なくとも一方を含む。ケア計画情報記憶部２３４は、複数のケア対象者（被監視者）Ｏｂそれぞれに作成された複数のケア計画を前記複数のケア対象者（被監視者）Ｏｂそれぞれに対応付けて記憶する。初期のケア計画情報は、例えば端末装置ＳＰ、ＴＡから入力され、ネットワークＮＷを介して管理サーバ装置ＳＶのケア計画情報記憶部２３４に予め記憶される。
【００４１】
このケア計画情報は、本実施形態では、テーブル形式でケア計画情報記憶部２３４に記憶されている。このケア計画情報を登録するケア計画情報テーブルＰＴは、例えば、図５に示すように、ケアの実施予定時刻を登録する実施予定時刻フィールド２３４１と、前記実施予定時刻フィールド２３４１に登録された実施予定時刻に実施する予定のケアの種類名を登録するケア種類フィールド２３４３と、これら実施予定時刻フィールド２３４１およびケア種類フィールド２３４３それぞれに登録された実施予定時刻および種類名のケアに対し、このケアが実施済みであるか未実施であるかを表す前記実施状況情報を登録する実施フィールド２３４５とを備え、実施予定時刻および種類名の組（ケア計画要素）ごとにレコードを持つ。実施フィールド２３４５には、前記実施状況情報として実施フラグが登録され、前記実施フラグは、当該ケアの実施済みを意味する実施フラグ「１」と、当該ケアの未実施を意味する実施フラグ「０」とを備える。なお、デフォルトでは、実施フィールド２３４５には、未実施を意味する実施フラグ「０」が登録される。
【００４２】
このようなケア計画情報テーブルＰＴ（ＰＴ−ＳＵ１、ＰＴ−ＳＵ２、ＰＴ−ＳＵ３、・・・）は、各ケア対象者（被監視者）Ｏｂごとに用意され、各ケア対象者Ｏｂの各ケア対象者名（被監視者名）それぞれに対応付けられている。図５には、第１センサ装置ＳＵ−１によって監視されているケア対象者Ｏｂのケア対象者名である「ＮＡＭＥ１」に対応付けられたケア計画情報テーブルＰＴ−ＳＵ１が一例として示されている。なお、ケア計画情報テーブルＰＴは、ケア対象者Ｏｂのケア対象者名に代え、あるいは、そのケア対象者名に追加して、前記ケア対象者名のケア対象者Ｏｂを監視するセンサ装置ＳＵのセンサＩＤに対応付けられても良い。
【００４３】
書式情報記憶部２３５は、前記書式情報を予め記憶するものである。前記書式情報は、実施したケアの内容をケア記録として入力するための記録書式に関する情報であり、前記記録書式は、予め規定された所定の様式（フォーマット、入力フォーム）として、前記ケアの種類に応じて複数、予め用意されている。前記記録書式は、例えば、モーニングケア用の記録書式、食事ケア用の記録書式、間食ケア用の記録書式、投薬ケア用の記録書式、歯磨きケア用の記録書式、水分補給ケア用の記録書式、および、排泄ケア用の記録書式等があり、その一例が後述の図１９および図２０に示されている。図１９には、食事ケア用の記録書式の一例が携帯端末装置ＴＡに表示される画面で示されている。図２０には、モーニングケア用の記録書式の一例が携帯端末装置ＴＡに表示される画面で示されている。前記記録書式は、例えばＨＴＭＬ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等のマークアップ言語で記述された電子ファイルで、ケアの種類名と対応付けられて書式情報記憶部２３５に記憶される。
【００４４】
ケア記録情報記憶部２３６は、実施したケアの内容の記録である前記ケア記録情報を記憶するものである。ケアの対象者であるケア対象者（被監視者）Ｏｂのケア対象者名（被監視者名）と、前記ケア記録の内容とが互いに対応付けられて前記ケア記録情報としてケア記録情報記憶部２３６に記憶される。
【００４５】
このようなケア記録情報は、本実施形態では、テーブル形式でケア記録情報記憶部２３６に記憶される。より具体的には、ケア記録情報を登録するケア記録情報テーブルＲＴは、例えば、図６に示すように、ケア対象者Ｏｂごとに用意され、ケア対象者Ｏｂのケア対象者名に対応付けられたケア記録情報セットＲＳ（ＲＳ−１、ＲＳ−２、・・・）を備える。このケア記録情報セットＲＳは、ケアの種類ごとに用意され、ケアの種類名に対応付けられたケア記録サブテーブルＲＳＴ（ＲＳＴ−１１、ＲＳＴ−１２、・・・、ＲＳＴ−２１、ＲＳＴ−２２、・・・）を備える。ケア記録サブテーブルＲＳＴは、ケアを実施した時刻（実施時刻）を登録する実施時刻フィールド２３６１と、実施時刻フィールド２３６１に登録された時刻に実施した前記ケアの内容を登録する項目フィールド２３６２と、実施時刻フィールド２３６１に登録された時刻に実施した前記ケアに対するメモ（自由記述）を登録するメモフィールド２３６３と、実施時刻フィールド２３６１に登録された時刻、項目フィールド２３６２に登録されたケアの内容、および、メモフィールド２３６３に登録されたメモを、複数の端末装置ＳＰ、ＴＡ間で共有するか否かを示す共有化フラグを登録する共有化フィールド２３６４とを備え、実施したケアごとにレコードを持つ。項目フィールド２３６２は、ケアの内容が複数の項目を備える場合には、前記複数の項目に応じたサブ項目フィールド２３６２−ｎを備えて構成される。例えば、排泄ケアのケア記録は、本実施形態では、被監視者（ケア対象者）Ｏｂの排尿の有無、ならびに、被監視者Ｏｂが排便した排便の量（排便量）およびその便質それぞれを記録するため、排泄ケアの内容を登録するケア記録サブテーブルＲＳＴは、排尿の有無を登録するＡ項目（排尿）サブフィールド２３６２−１と、排便量を登録するＢ項目（排便量）サブフィールド２３６２−２と、便質を登録するＣ項目（便質）サブフィールド２３６２−３とを備える。メモフィールド２３６３には、メモのテキストデータがそのまま登録されて良く、またメモのファイルのファイル名が登録されて良い。共有化フラグは、複数の端末装置ＳＰ、ＴＡ間で共有することを意味する共有化フラグ「１」と、複数の端末装置ＳＰ、ＴＡ間で共有しないことを意味する共有化フラグ「０」とから成り、デフォルトでは、共有化フィールド２３６４には、非共有を意味する共有化フラグ「０」が登録される。
【００４６】
このように、本実施形態では、ケア記録情報記憶部２３６には、ケアの種類ごとにそれぞれ用意されたケアの各内容を登録するための複数のテーブルＲＳＴのセット（組）ＲＳが、ケア対象者（被監視者）Ｏｂごとに用意され、記憶される。
【００４７】
次回ケア情報記憶部２３７は、前記次回ケア情報を予め記憶するものである。前記次回ケア情報は、ケアの次回の実施に関する情報であり、今般（今回）、実施したケアにおける次回の実施予定時刻を求めるために用いられる。ケアには、その種類によって、例えばモーニングケアや食事ケア（朝食ケア、昼食ケア、夕食ケア）等のように、１日のうちで所定の定時刻にその実施が予定されるケアや、また例えば水分補給ケアや排泄ケア等のように、所定の時間間隔でその実施が予定されるケアがある。このような場合では、次回の実施予定時刻は、このような定時刻や時間間隔から求めることができる。このため、前記次回ケア情報は、このような定時刻や時間間隔を含み、ケアの種類別に、そして、ケア対象者（被監視者）Ｏｂ別に予め適宜に設定される。特に、前記所定の時間間隔は、ケア対象者Ｏｂの事情や状況に応じて適宜に設定される。例えば、水分補給ケアの時間間隔や排泄ケアの時間間隔は、ケア対象者の年齢、体型および身体の健康状態等に応じて設定される。したがって、本実施形態では、次回ケア情報記憶部２３７は、前記次回ケア情報を、ケア対象者（被監視者）Ｏｂのケア対象者名（被監視者名）とケアの種類名とに対応付けて記憶している。
【００４８】
このような次回ケア情報は、本実施形態では、テーブル形式で次回ケア情報記憶部２３７に記憶される。より具体的には、次回ケア情報を登録する次回ケア情報テーブルＮＴは、例えば、図７に示すように、ケア対象者名（被監視者名）を登録するケア対象者名フィールド２３７１と、ケア対象者名フィールド２３７１に登録されたケア対象者名のケア対象者（被監視者）Ｏｂにおける次回ケア情報をケアの種類別に登録する次回ケア情報フィールド２３７２とを備え、ケア対象者名（ケア対象者）ごとにレコードを持つ。次回ケア情報フィールド２３７２は、ケアの種類別に次回ケア情報を登録するために、ケアの種類ごとにサブフィールを備える。図７に示す例では、次回ケア情報フィールド２３７２は、モーニングケアの次回ケア情報を登録するモーニングケアサブフィールド２３７２−１、朝食ケアの次回ケア情報を登録する朝食ケアサブフィールド２３７２−２、水分補給ケアの次回ケア情報を登録する水分補給ケアサブフィールド２３７２−３、および、排泄ケアの次回ケア情報を登録する排泄ケアサブフィールド２３７２−４等を備える。例えば、図７に示す例では、ケア対象者名フィールド２３７１に「ＮＡＭＥ１」を登録するレコードにおいて、モーニングケアサブフィールド２３７２−１には、定時刻の「６：００」が登録され、朝食ケアサブフィールド２３７２−２には、定時刻の「７：００」が登録され、水分補給ケアサブフィールド２３７２−３には、時間間隔の「３時間」が登録され、そして、排泄ケアサブフィールド２３７２−４には、時間間隔の「４時間」が登録されている。なお、モーニングケアや食事ケアの各実施予定時刻は、複数のケア対象者Ｏｂに対して同時刻に規定されて良い。
【００４９】
ＳＶ制御処理部２２は、管理サーバ装置ＳＶの各部を当該各部の機能に応じてそれぞれ制御し、センサ装置ＳＵから前記所定のイベントの通知を受けると、被監視者Ｏｂに対する監視に関する監視情報を管理し、前記所定のイベントを所定の端末装置ＳＰ、ＴＡへ通知（再通知、再報知、送信）し、クライアントの要求に応じたデータを前記クライアントに提供し、ケア計画出力システムを含む被監視者監視システムＭＳ全体を管理するための回路である。そして、本実施形態では、ＳＶ制御処理部２２は、複数の被監視者（ケア対象者）Ｏｂそれぞれにおける複数のケア計画を管理し、そして、前記複数の被監視者（ケア対象者）Ｏｂそれぞれに対し実施したケアの内容をケア記録として管理する。ＳＶ制御処理部２２は、例えば、ＣＰＵおよびその周辺回路を備えて構成される。ＳＶ制御処理部２２は、前記制御処理プログラムが実行されることによって、サーバ側制御部（ＳＶ制御部）２２１、サーバ側監視処理部（ＳＶ監視処理部）２２２、サーバ側ケア計画処理部（ＳＶケア計画処理部）２２３、サーバ側ケア記録処理部（ＳＶケア記録処理部）２２４および時計部２２５を機能的に備える。
【００５０】
ＳＶ制御部２２１は、管理サーバ装置ＳＶの各部を当該各部の機能に応じてそれぞれ制御し、管理サーバ装置ＳＶの全体制御を司るものである。
【００５１】
ＳＶ監視処理部２２２は、被監視者Ｏｂに対する監視に関する所定の情報処理を実行するものである。より具体的には、ＳＶ監視処理部２２２は、センサ装置ＳＵから前記所定のイベントの通知を受信すると、被監視者Ｏｂに対する監視に関する監視情報を管理し、前記所定のイベントを所定の端末装置ＳＰ、ＴＡへ通知する。より詳しくは、ＳＶ監視処理部２２２は、センサ装置ＳＵから前記第１イベント通知通信信号を受信すると、この受信した第１イベント通知通信信号に収容された、被監視者Ｏｂに対する監視に関する監視情報をＳＶ監視情報記憶部２３１に記憶（記録）する。ＳＶ監視処理部２２２は、この受信した第１イベント通知通信信号を送信したセンサ装置ＳＵに対応する通知先（再通知先、報知先、転送先、送信先）を装置間情報記憶部２３２に記憶された前記通知先対応関係から選定（検索）し、この選定した端末装置ＳＰ、ＴＡへ第２イベント通知通信信号を送信する。この選定（検索処理）は、前記受信した第１イベント通知通信信号を送信したセンサ装置ＳＵに対応するセンサＩＤに基づいて実施される。前記第２イベント通知通信信号には、前記第１イベント通知通信信号に収容されたイベント情報が前記所定の行動（起床、離床、転落および転倒のうちの１または複数）である場合には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵに対応する通信アドレスが収容される。この通信アドレスは、前記受信した第１イベント通知通信信号を送信したセンサ装置ＳＵに対応するセンサＩＤに基づいて通信アドレス対応関係から選定（検索）される。前記第１イベント通知通信信号に収容されたイベント情報が前記ナースコールである場合には、前記第２イベント通知通信信号には、第１イベント通知通信信号に収容されたセンサＩＤおよびイベント情報（ナースコール）が収容される。
【００５２】
ＳＶケア計画処理部２２３は、被監視者（ケア対象者）Ｏｂにおけるケア計画に関する所定の情報処理を実行するものである。例えば、ケア計画処理部２２３は、複数のケア対象者Ｏｂの中から選択されたケア対象者における未実施のケア計画要素をソートして出力（送信）し、未実施のケア計画要素が実施済みに変更されるとソートの対象から外し、実施済みに変更されたケアが次回も実施されるケアである場合には次回の実施予定時刻を求めてケア計画を更新する。
【００５３】
より具体的には、本実施形態では、ケア計画処理部２２３は、ケア計画ソート処理部２２３１と、ケア計画出力処理部２２３２と、ケア計画更新処理部２２３３とを機能的に備える。
【００５４】
ケア計画ソート処理部２２３１は、ケア計画情報記憶部２３４に記憶した複数のケア計画に基づいて、所定の時点を基準に、所定の順で、前記複数のケア対象者（被監視者）Ｏｂの中から選択されたケア対象者における未実施のケア計画要素をソートするものである。前記所定の時点は、予め適宜に設定され、例えば、前記ソートの時点である。また例えば、前記所定の時点は、前記ケア計画を出力する指示（要求）を受け付けた時点である。前記所定の順は、予め適宜に設定され、例えば、時刻に関する所定の順、好ましくはケアの実施予定時刻の順（実施予定時刻順）である。本実施形態では、次回ケア情報がケア対象者Ｏｂの事情や状況に応じて設定されるため、実施予定時刻順にソートすることで、ケア対象者Ｏｂの事情や状況が考慮される。なお、順は、降順でも昇順でも良い。
【００５５】
ケア計画出力処理部２２３２は、ケア計画を表示する場合にケア計画ソート処理部２２３１でソートされた順で表示するように、ケア計画ソート処理部２２３１でソートした未実施のケア計画要素を出力するものである。ケア計画は、管理サーバ装置ＳＶが例えば液晶表示装置等の表示装置をさらに備える場合にケア計画出力処理部２２３２によって前記表示装置に出力（表示）されても良いが、本実施形態では、端末装置ＳＰ、ＴＡへ出力される。したがって、より具体的には、ケア計画出力処理部２２３２は、前記ケア計画ソート処理部２２３１でソートした未実施のケア計画要素を端末装置ＳＰ、ＴＡへＳＶ通信ＩＦ部で前記出力として送信する。
【００５６】
ケア計画更新処理部２２３３は、ケア計画情報記憶部２３４に記憶した複数のケア計画における未実施のケア計画要素が実施済みに変更された場合に、前記実施済みに変更されたケア計画要素の次回の実施予定時刻を求め、前記求めた実施予定時刻と前記実施済みに変更されたケア計画要素のケアの種類とを互いに対応付けてケア計画情報記憶部２３４に前記ケア計画として記憶することによって、ケア計画情報記憶部２３４に記憶した複数のケア計画を更新するものである。
【００５７】
本実施形態では、ケア計画処理部２２３は、ケア計画更新処理部２２３３によって、端末装置ＳＰ、ＴＡから後述のケア記録通知通信信号を受信した場合に、この受信したケア記録通知通信信号に収容されたケアに対応する未実施のケア計画要素を実施済みに変更する。
【００５８】
ＳＶケア記録処理部２２４は、被監視者（ケア対象者）Ｏｂにおけるケア記録に関する所定の情報処理を実行するものである。より具体的には、本実施形態では、ＳＶケア記録処理部２２４は、端末装置ＳＰ、ＴＡから後述の選択ケア通知通信信号を受信すると、この受信した選択ケア通知通信信号に応じた記録書式を収容した書式通知通信信号を前記端末装置ＳＰ、ＴＡへ返信する。ＳＶケア記録処理部２２４は、端末装置ＳＰ、ＴＡから後述のケア記録通知通信信号を受信すると、この受信したケア記録通知通信信号に収容されたケア記録をケア記録情報記憶部２３６に記憶する。
【００５９】
時計部２２５は、年月日時分で計時するものである。
【００６０】
なお、管理サーバ装置ＳＶは、図３に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。ＳＶ入力部２４を備える場合、ＳＶ入力部２４は、前記複数のケア対象者の中から選択されたケア対象者を取得する選択ケア対象者取得部の他の一例に相当する。
【００６１】
このような管理サーバ装置ＳＶは、例えば、通信機能付きのコンピュータによって構成可能である。
【００６２】
上述から分かるように、管理サーバ装置ＳＶは、ケア計画出力装置の一例に相当し、第１中央管理装置の一例に相当し、そして、第２中央管理装置の一例に相当する。
【００６３】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた監視情報を表示したり、管理サーバ装置ＳＶから受信したケア計画を表示したり等することによって、被監視者監視システムＭＳのユーザインターフェース（ＵＩ）として機能する装置である。このような固定端末装置ＳＰは、例えば、通信機能付きのコンピュータによって構成可能である。なお、第１および第２端末装置の一例としての固定端末装置ＳＰは、携帯端末装置ＴＡと同様に動作するが、本明細書では、前記第１および第２端末装置の他の一例である携帯端末装置ＴＡについて詳述される。
【００６４】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通知によってセンサ装置ＳＵで得られた監視情報（動画を含む）を表示したり、管理サーバ装置ＳＶから受信したケア計画を表示したり、センサ装置ＳＵとの間で音声通話によってナースコールの応答や声かけしたり等するための機器である。このような携帯端末装置ＴＡは、本実施形態では、例えば、図８に示すように、端末側通信インターフェース部（ＴＡ通信ＩＦ部）３１と、端末側制御処理部（ＴＡ制御処理部）３２と、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【００６５】
ＴＡ音入出力部３４は、ＴＡ制御処理部３２に接続され、外部の音を取得して携帯端末装置ＴＡに入力するための回路であって、ＴＡ制御処理部３２の制御に従って音を表す電気信号に応じた音を生成して出力するための回路である。ＴＡ音入出力部３４は、ＳＵ音入出力部１２と同様に、例えば、音響振動を電気信号に変換するマイクロホン等と、音の電気信号を音の音響振動に変換するスピーカ等とを備えて構成される。ＴＡ音入出力部３４は、外部の音を表す電気信号をＴＡ制御処理部３２へ出力し、また、ＴＡ制御処理部３２から入力された電気信号を音の音響振動に変換して出力する。
【００６６】
ＴＡ入力部３５は、ＴＡ制御処理部３２に接続され、例えば、所定の操作を受け付け、携帯端末装置ＴＡに入力する回路であり、例えば、所定の機能を割り付けられた複数の入力スイッチ等である。前記所定の操作には、例えば、ログインするためのＩＤの入力操作や、音声通話の要求操作およびその終了操作や、ライブでの動画の要求操作およびその終了操作や、前記通知された被監視者Ｏｂに対する前記イベントの検知結果に対応（対処）する意思がある旨（実施意思情報）の入力操作等の、監視する上で必要な各種操作、ケア計画の表示操作等の、ケア計画をＴＡ表示部３６に表示させる上で必要な各種操作、ならびに、記録書式の選択操作や記録書式を用いたケア記録の入力操作等のケアの内容を記録する上で必要な各種操作等が含まれる。ＴＡ表示部３６は、ＴＡ制御処理部３２に接続され、ＴＡ制御処理部３２の制御に従って、ＴＡ入力部３５から入力された所定の操作内容や、被監視者監視システムＭＳによって監視されている被監視者Ｏｂに対する監視に関する前記監視情報（例えばセンサ装置ＳＵで検知した所定の行動の種類や被監視者Ｏｂの画像（静止画および動画）等）や、ナースコールの受付、ケア計画および記録書式等を表示する回路であり、例えばＬＣＤ（液晶ディスプレイ）および有機ＥＬディスプレイ等の表示装置である。そして、本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等のユーザ（監視者）が、入力したい入力内容を表示した表示位置（表示領域）を触れると、位置入力デバイスによってその位置（領域）が検出され、検出された位置に表示された表示内容がユーザの操作入力内容として携帯端末装置ＴＡに入力される。
【００６７】
ＴＡＩＦ部３７は、ＴＡ制御処理部３２に接続され、ＴＡ制御処理部３２の制御に従って、外部機器との間でデータの入出力を行う回路であり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００６８】
ＴＡ通信ＩＦ部３１は、ＳＵ通信ＩＦ部１５と同様に、ＴＡ制御処理部３２に接続され、ＴＡ制御処理部３２の制御に従って通信を行うための通信回路である。ＴＡ通信ＩＦ部３１は、ＴＡ通信ＩＦ部３１は、例えば、ＩＥＥＥ８０２．１１規格等に従った通信インターフェース回路を備えて構成される。
【００６９】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、携帯端末装置ＴＡの各部を当該各部の機能に応じてそれぞれ制御するＴＡ制御プログラムや、被監視者Ｏｂに対する監視に関する所定の情報処理を実行するＴＡ監視処理プログラムや、ＴＡ音入出力部３４等を用いることでセンサ装置ＳＵとの間で音声通話を行う通話処理プログラムや、センサ装置ＳＵから動画の配信を受け、前記配信を受けた動画をストリーミング再生でＴＡ表示部３６に表示するＴＡストリーミング処理プログラムや、管理サーバ装置ＳＶからケア計画を取得し、この取得したケア計画をＴＡ表示部３６に表示するＴＡケア計画処理プログラムや、管理サーバ装置ＳＶから所定の記録書式を取得し、実施したケアの内容を前記取得した記録書式を用いて記録（入力）して管理サーバ装置ＳＶへ送信するＴＡケア記録処理プログラム等の制御処理プログラムが含まれる。前記各種の所定のデータでは、自機の端末ＩＤ、被監視者Ｏｂに対する監視に関する前記監視情報、センサ装置ＳＵに関するセンサ情報、および、ＴＡ表示部３６に表示される画面情報等の各プログラムを実行する上で必要なデータ等が含まれる。センサ情報は、本実施形態では、例えば、センサ装置ＳＵのセンサＩＤ、その配設場所およびそれによって監視される被監視者名を互いに対応付けたデータである。ＴＡ記憶部３３は、例えばＲＯＭやＥＥＰＲＯＭ等を備える。ＴＡ記憶部３３は、前記所定のプログラムの実行中に生じるデータ等を記憶するいわゆるＴＡ制御処理部３２のワーキングメモリとなるＲＡＭ等を含む。これら監視情報および画面情報それぞれを記憶するために、ＴＡ記憶部３３は、端末側監視情報記憶部（ＴＡ監視情報記憶部）３３１および画面情報記憶部３３２を機能的に備える。
【００７０】
ＴＡ監視情報記憶部３３１は、前記監視情報を記憶するものである。本実施形態では、ＴＡ監視情報記憶部３３１は、前記監視情報として、管理サーバ装置ＳＶから受信した第２イベント通知通信信号に収容されたセンサＩＤ、イベント情報（事象情報、本実施形態では起床、離床、転落、転倒およびナースコール）、画像および動画のダウンロード先のセンサ装置ＳＵの通信アドレス、ならびに、当該第２イベント通知通信信号の受信時刻および対応の有無等を互いに対応付けて記憶する。より具体的には、ＴＡ監視情報記憶部３３１は、図４に示すように、ＳＶ監視情報テーブルＭＴ−ＳＶと同様な端末側監視情報テーブル（ＴＡ監視情報テーブル）ＭＴ−ＴＡに前記監視情報を記憶する。
【００７１】
画面情報記憶部３３２は、比較的多用する画面、例えば後述の待受け画面５１等の電子ファイルを予め記憶したり、管理サーバ装置ＳＶから受信した画面、例えば後述のケア計画画面６３（６３ａ、６３ｂ）、６５や記録書式画面６４（６４ａ、６４ｂ）等の電子ファイルを記憶したりするものである。
【００７２】
ＴＡ制御処理部３２は、携帯端末装置ＴＡの各部を当該各部の機能に応じてそれぞれ制御し、被監視者Ｏｂに対する前記監視情報を受けて表示し、ケア計画を受け付けて表示し、ナースコールの応答や声かけするための回路である。ＴＡ制御処理部３２は、例えば、ＣＰＵおよびその周辺回路を備えて構成される。ＴＡ制御処理部３２は、制御処理プログラムが実行されることによって、端末側制御部（ＴＡ制御部）３２１、端末側監視処理部（ＴＡ監視処理部）３２２、通話処理部３２３、端末側ストリーミング処理部（ＴＡストリーミング処理部）３２４、端末側ケア計画処理部（ＴＡケア計画処理部）３２５および端末側ケア記録処理部（ＴＡケア記録処理部）３２６を機能的に備える。
【００７３】
ＴＡ制御部３２１は、携帯端末装置ＴＡの各部を当該各部の機能に応じてそれぞれ制御し、携帯端末装置ＴＡの全体制御を司るものである。
【００７４】
ＴＡ監視処理部３２２は、被監視者Ｏｂに対する監視に関する所定の情報処理を実行するものである。より具体的には、ＴＡ監視処理部３２２は、センサ装置ＳＵによって送信された第１イベント通知通信信号、に起因して管理サーバ装置ＳＶによって送信された第２イベント通知通信信号を受信した場合に、この受信した第２イベント通知通信信号に収容された各情報（各データ）に基づき、被監視者Ｏｂの監視情報をＴＡ監視情報記憶部３３１に記憶（記録）する。ＴＡ監視処理部３２２は、この受信した第２イベント通知通信信号に収容された各情報に応じた画面をＴＡ表示部３６に表示する。そして、ＴＡ監視処理部３２２は、ＴＡ入力部３５から所定の入力操作を受け付けると、その入力操作に応じた所定の処理を実行する。
【００７５】
通話処理部３２３は、ＴＡ音入出力部３４等を用いることでセンサ装置ＳＵとの間で音声通話を行うものである。より具体的には、例えば、通話処理部３２３は、ＴＡ音入出力部３４等を用い、第２イベント通知通信信号の送信の原因となった第１イベント通知通信信号を管理サーバ装置ＳＶへ送信した送信元のセンサ装置ＳＵとの間で例えばＶｏＩＰによって音声通話を行う。
【００７６】
ＴＡストリーミング処理部３２４は、センサ装置ＳＵから動画の配信を受け、前記配信を受けた動画をストリーミング再生でＴＡ表示部３６に表示するものである。
【００７７】
ＴＡケア計画処理部３２５は、被監視者（ケア対象者）Ｏｂにおけるケア計画に関する所定の情報処理を実行するものである。より具体的には、ＴＡケア計画処理部３２５は、複数のケア対象者（被監視者）Ｏｂの中から選択された一人のケア対象者をＴＡ入力部３５を介して受け付けて管理サーバ装置ＳＶへ送信し、複数のケア種の中から選択された１つのケア種をＴＡ入力部３５を介して受け付けて管理サーバ装置ＳＶへ送信し、前記ケア対象者における未実施のケア計画要素を管理サーバ装置ＳＶから受信した場合に、この受信した未実施のケア計画要素を、管理サーバ装置ＳＶのケア計画ソート処理部２２３１でソートされた順でＴＡ表示部３６に表示するものである。
【００７８】
より詳しくは、ＴＡケア計画処理部３２５は、前記未実施のケア計画要素を、ケアの種類名で、前記タッチパネルを構成するＴＡ表示部３６に、ケア計画ソート処理部２２３１でソートされた順で表示する。ここで、後述するように、前記タッチパネルにおける、前記ケアの種類名を表示する領域は、前記記録書式を前記タッチパネルに表示させる指示を入力するためのボタンとなっている。
【００７９】
ＴＡケア記録処理部３２６は、被監視者（ケア対象者）Ｏｂにおけるケア記録に関する所定の情報処理を実行するものである。より具体的には、ＴＡケア記録処理部３２６は、管理サーバ装置ＳＶから所定の記録書式を取得（受信）してＴＡ表示部３６に表示し、前記記録書式を用いてケアの内容をＴＡ入力部３５を介して受け付けて管理サーバ装置ＳＶへ送信する。
【００８０】
より詳しくは、ＴＡケア記録処理部３２６は、前記ボタンの入力操作を受け付けた場合に、前記入力操作を受け付けたボタンに表示されたケアの種類名に対応する記録書式を要求するための通信信号（第１通信信号、選択ケア通知通信信号）を管理サーバ装置ＳＶへＴＡ通信ＩＦ部３１で送信し、記録書式を収容した通信信号（第２通信信号、書式通知通信信号）を管理サーバ装置ＳＶからＴＡ通信ＩＦ部３１で受信した場合に、前記書式通知通信信号に収容された記録書式を、前記タッチパネルを構成するＴＡ表示部３６に表示する。ＴＡケア記録処理部３２６は、前記タッチパネルを構成するＴＡ表示部３６に表示された前記記録書式を用いてＴＡ入力部３５からケアの内容を、前記タッチパネルを構成するＴＡ入力部３５を介して受け付けた場合に、前記受け付けたケアの内容を収容する通信信号（第３通信信号、ケア記録通知通信信号）を管理サーバ装置ＳＶへＴＡ通信ＩＦ部３１で送信する。
【００８１】
実施形態では、ＴＡケア計画処理部３２５は、前記タッチパネルに表示を行う表示処理部の一例に相当し、ＴＡケア記録処理部３２６は、前記第１中央管理装置との通信を処理する通信処理部の一例に相当する。
【００８２】
このような携帯端末装置ＴＡは、例えば、いわゆるタブレット型コンピュータやスマートフォンや携帯電話機等の、持ち運び可能な通信端末装置によって構成可能である。
【００８３】
次に、本実施形態における被監視者監視システムの動作について説明する。図９は、前記携帯端末装置に表示される待受け画面の一例を示す図である。図１０は、前記携帯端末装置に表示される監視情報画面の一例を示す図である。図１１は、前記携帯端末装置に表示されるナースコール受付画面の一例を示す図である。図１２は、前記管理サーバ装置の動作を示すフローチャートである。図１３は、図１２に示すケア計画の処理を示すフローチャートである。図１４は、図１２に示すケア記録の処理を示すフローチャートである。図１５は、前記被監視者監視システムにおけるケア計画表示の動作を示すシーケンス図である。図１６は、前記携帯端末装置に表示されるサブメニュー画面の一例を示す図である。図１７は、前記携帯端末装置に表示される対象者選択画面の一例を示す図である。図１８は、前記被監視者監視システムにおける第１態様のケア計画表示画面の一例を示す図である。図１９は、前記携帯端末装置に表示される食事ケア用記録書式画面の一例を示す図である。図２０は、前記携帯端末装置に表示されるモーニングケア用記録書式画面の一例を示す図である。
【００８４】
以下では、まず、第１に、図９ないし図１１を用いて、被監視者を監視する動作について説明し、次に、第２に、図１２を用いて、管理サーバ装置ＳＶの概略動作について説明し、第３に、図１２ないし図２０を用いて、ケア計画画面の表示およびケア記録の各動作について説明する。
【００８５】
上記構成の被監視者監視システムＭＳでは、各装置ＳＵ、ＳＶ、ＳＰ、ＴＡは、電源が投入されると、必要な各部の初期化を実行し、その稼働を始める。センサ装置ＳＵでは、その制御処理プログラムの実行によって、ＳＵ制御処理部１４には、ＳＵ制御部１４１、行動検知処理部１４２、ナースコール処理部１４３およびＳＵストリーミング処理部１４４が機能的に構成される。管理サーバ装置ＳＶでは、その制御処理プログラムの実行によって、ＳＶ制御処理部２２には、ＳＶ制御部２２１、ＳＶ監視処理部２２２、ＳＶケア計画処理部２２３、ＳＶケア記録処理部２２４および時計部２２５が機能的に構成され、ＳＶケア計画処理部２２３には、ケア計画ソート処理部２２３１、ケア計画出力処理部２２３２およびケア計画更新処理部２２３３が機能的に構成される。携帯端末装置ＴＡでは、その制御処理プログラムの実行によって、ＴＡ制御処理部３２には、ＴＡ制御部３２１、ＴＡ監視処理部３２２、通話処理部３２３、ＴＡストリーミング処理部３２４、ＴＡケア計画処理部３２５およびＴＡケア記録処理部３２６が機能的に構成される。
【００８６】
（監視動作）
監視動作では、センサ装置ＳＵは、各フレームごとに、あるいは、数フレームおきに、次のように動作することで、被監視者Ｏｂにおける所定の動作を検知し、ナースコールの受付の有無を判定している。まず、センサ装置ＳＵは、前記画像センサから１フレーム分の画像（画像データ）を対象画像として取得し、この取得した対象画像に基づいて被監視者Ｏｂにおける所定の行動を検知し、前記所定の行動を検知すると、その検知結果を所定の端末装置ＳＰ、ＴＡへ通知するために、前記イベント情報として検知した前記所定の行動を収容した、前記所定の行動の検知にかかる第１イベント通知通信信号を、管理サーバ装置ＳＶへ送信する。このように動作している間に、センサ装置ＳＵは、ナースコールを受け付けているか否かを判定し、ナースコールを受け付けると、そのナースコールの受付を所定の端末装置ＳＰ、ＴＡへ通知するために、センサ装置ＳＵは、前記イベント情報として前記受け付けたナースコールを収容した、前記ナースコールの受付にかかる第１イベント通知通信信号を、管理サーバ装置ＳＶへ送信する。
【００８７】
管理サーバ装置ＳＶは、第１イベント通知通信信号をネットワークＮＷを介してセンサ装置ＳＵから受信すると、ＳＶ監視処理部２２２によって、監視情報の処理を実行する。より具体的には、ＳＶ監視処理部２２２は、まず、この受信した第１イベント通知通信信号に収容されたセンサＩＤおよびイベント情報等の各情報を、このセンサＩＤを持つセンサ装置ＳＵで監視されている被監視者Ｏｂの監視情報として記憶（記録）する。そして、管理サーバ装置ＳＶは、ＳＶ監視処理部２２２によって、前記通知先対応関係から、前記受信した第１イベント通知通信信号における送信元（通知元）のセンサ装置ＳＵに対応する通知先の端末装置ＳＰ、ＴＡを特定し、この通知先の端末装置ＳＰ、ＴＡへ第２イベント通知通信信号を送信する。
【００８８】
固定端末装置ＳＰおよび携帯端末装置ＴＡは、前記第２イベント通知通信信号をネットワークＮＷを介して管理サーバ装置ＳＶから受信すると、ＴＡ監視処理部３２２によって、この第２イベント通知通信信号に収容されたセンサＩＤおよびイベント情報等の各情報を、このセンサＩＤを持つセンサ装置ＳＵで監視されている被監視者Ｏｂの監視情報として記憶（記録）し、前記監視情報を表示する。
【００８９】
より具体的には、代表的に、携帯端末装置ＴＡの動作について説明すると、上述したように、電源が投入され、その稼働を始めると、携帯端末装置ＴＡでは、例えば看護師や介護士等の監視者（ユーザ）によるログイン操作が受け付けられ、ＴＡ監視処理部３２２によって、自機宛の通信信号を待ち受ける待受け画面がＴＡ表示部３６に表示される。この待受け画面５１は、例えば、図９に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末装置ＴＡにログインしているユーザ名を表示するユーザ名領域５１５とを備える。
【００９０】
自機宛の通信信号を待ち受け中に前記第２イベント通知通信信号を受信すると、携帯端末装置ＴＡは、ＴＡ制御処理部３２のＴＡ監視処理部３２２によって、前記受信した第２イベント通知通信信号に収容された、被監視者Ｏｂに対する監視に関する監視情報をＴＡ監視情報記憶部３３１に記憶（記録）し、前記受信した第２イベント通知通信信号に収容された各情報に応じた画面をＴＡ表示部３６に表示する。
【００９１】
より詳しくは、ＴＡ監視処理部３２２は、前記受信した第２イベント通知通信信号に収容された前記イベント情報が前記所定の行動である場合には、例えば図１０に示す監視情報画面５２をＴＡ表示部３６に表示し、一方、前記受信した第２イベント通知通信信号に収容された前記イベント情報が前記ナースコールである場合には、例えば図１１に示すナースコール受付画面５３をＴＡ表示部３６に表示する。
【００９２】
この監視情報画面５２は、被監視者Ｏｂの監視に関する前記監視情報を表示するための画面である。前記監視情報画面５２は、例えば、図１０に示すように、メニューバー領域５１１と、前記受信した第２イベント通知通信信号に収容されたセンサＩＤを持つセンサ装置ＳＵの配設場所および前記センサＩＤを持つ前記センサ装置ＳＵによって監視される被監視者Ｏｂの名前を表示する被監視者名領域５２１と、前記受信した第２イベント通知通信信号の受信時刻（または前記所定の行動の検知時刻）からの経過時間、および、前記受信した第２イベント通知通信信号に収容された前記イベント情報（前記所定の行動の検知結果）を表示する検知情報表示領域５２２と、前記受信した第２イベント通知通信信号に収容された画像（すなわち、前記センサＩＤを持つ前記センサ装置ＳＵによって撮像された対象画像）（ここでは静止画）を表示する画像領域５２３と、「対応する」ボタン５２４と、「話す」ボタン５２５と、「ＬＩＶＥを見る」ボタン５２６とを備える。
【００９３】
検知情報表示領域５２２には、前記受信した第２イベント通知通信信号に収容された前記検知結果（本実施形態では、起床、離床、転落および転倒の各名称）がそのまま表示されても良いが、本実施形態では、前記検知結果を象徴的に表すアイコン（検知結果アイコン）で表示されている。このアイコンで表示するために、ＴＡ記憶部３３には、各行動およびその行動を象徴的に表すアイコンが互いに対応付けられて予め記憶される。図１０に示す例では、検知情報表示領域５２２には、起床を象徴的に表す起床アイコンが表示されている。「対応する」ボタン５２４は、監視情報画面５２では、この監視情報画面５２に表示された検知結果に対し例えば救命、看護、介護および介助等の所定の対応（対処、処置、措置）を実施する意思が当該携帯端末装置ＴＡのユーザにある旨を、当該携帯端末装置ＴＡに入力するためのボタンである。「話す」ボタン５２５は、音声通話を要求するためのボタンであって、前記センサＩＤの前記センサ装置ＳＵと当該携帯端末装置ＴＡとをネットワークＮＷを介して通話可能に接続する指示を入力するためのボタンである。「ＬＩＶＥを見る」ボタン５２６は、ライブでの動画を要求するためのボタンであって、前記センサＩＤの前記センサ装置ＳＵによって撮像される動画を表示させる指示を入力するためのボタンである。
【００９４】
前記ナースコール受付画面５３は、ナースコールの受付を表示するための画面である。このナースコール受付画面５３は、例えば、図１１に示すように、メニューバー領域５１１と、被監視者名領域５２１と、検知情報表示領域５２２と、ナースコールを受け付けた旨を表すメッセージ（例えば「ナースコールです」）を表示するナースコール受付通知表示領域５３１と、「対応する」ボタン５２４と、「話す」ボタン５２５とを備える。このナースコール受付画面５３では、検知情報表示領域５２２には、前記受信した第２イベント通知通信信号の受信時刻（または前記ナースコールを受け付けた受付時刻）からの経過時間のみが表示される。なお、ナースコール受付画面５３は、「ＬＩＶＥを見る」ボタン５２６をさらに備えても良い。
【００９５】
そして、このような監視情報画面５２やナースコール受付画面５３の表示中に、携帯端末装置ＴＡは、入力操作を受け付けると、携帯端末装置ＴＡは、ＴＡ制御処理部３２によって、入力操作の内容に応じた適宜な処理を実行し、本処理を終了し、そして、次の自機宛の通信信号を待ち受ける。
【００９６】
例えば、携帯端末装置ＴＡは、ＴＡ制御処理部３２によって、「対応する」ボタン５２４の入力操作を受け付けると、まず、現在、ＴＡ表示部３６に表示している被監視者Ｏｂの監視情報を登録しているレコード（ここでは前記受信した第２イベント通知通信信号に収容されていた監視情報を登録したレコード）の対応フィールド３３１６に、対応の受付を表す対応フラグ「１」を登録する。そして、ＴＡ制御処理部３２は、ＴＡ表示部３６に表示している被監視者Ｏｂの監視情報に対応するセンサＩＤ、イベント情報および「対応する」を受け付けた旨を表す情報（対応有意思情報）を収容した通信信号（対応有意思通知通信信号）を管理サーバ装置ＳＶへ送信する。この対応有意思通知通信信号を受信した管理サーバ装置ＳＶは、まず、ＳＶ制御処理部２２によって、ＳＶ監視情報記憶部２３１に記憶されているＳＶ監視情報テーブルＭＴ−ＳＶにおいて、前記受信した第１対応有意思通知通信信号に収容されているセンサＩＤおよびイベント情報それぞれをセンサＩＤフィールド２３１１およびイベントフィールド２３１２それぞれに登録し、かつ、対応フィールド２３１６に対応フラグ「０」を登録しているレコードの対応フィールド２３１６に、対応の受付を表す対応フラグ「１」を登録し、次に、前記受信した対応有意思通知通信信号に収容されたセンサＩＤ、イベント情報および対応有意思情報を収容した通信信号（対応有意思周知通信信号）を同報通信で端末装置ＳＰ、ＴＡへ送信する。これによって、ＴＡ表示部３６に表示している被監視者Ｏｂの監視情報に対応するセンサＩＤに関し、「対応する」を受け付けた旨が各端末装置ＳＰ、ＴＡ間で同期される。
【００９７】
また例えば、携帯端末装置ＴＡは、ＴＡ制御処理部３２によって、「話す」ボタン５２５の入力操作を受け付けると、通話処理部３２３によって、現在、ＴＡ表示部３６に表示している被監視者Ｏｂを監視するセンサ装置ＳＵへ、音声通話を要求する旨等の情報を収容した通信信号（通話要求通信信号）を送信し、これに応じたセンサ装置ＳＵとネットワークＮＷを介して音声通話可能に接続する。これによって携帯端末装置ＴＡとセンサ装置ＳＵとの間で音声通話が可能となる。なお、携帯端末装置ＴＡは、ＴＡ制御処理部３２によって、音声通話の終了の指示を入力するためのボタンである図略の「終了」ボタンの入力操作を受け付けると、通話処理部３２３によって、ＴＡ表示部３６に表示している被監視者Ｏｂを監視するセンサ装置ＳＵへ、音声通話の終了を要求する旨等の情報を収容した通信信号（通話終了通信信号）を送信する。これによって携帯端末装置ＴＡとセンサ装置ＳＵとの間での音声通話が終了される。
【００９８】
また例えば、携帯端末装置ＴＡは、ＴＡ制御処理部３２によって、「ＬＩＶＥを見る」ボタン５２６の入力操作を受け付けると、ＴＡストリーミング処理部３２４によって、現在、ＴＡ表示部３６に表示している被監視者Ｏｂを監視するセンサ装置ＳＵへ、ライブでの動画の配信を要求する旨等の情報を収容した通信信号（動画配信要求通信信号）を送信し、これに応じたセンサ装置ＳＵとネットワークＮＷを介して動画のダウンロード可能に接続し、前記センサ装置ＳＵからライブでの動画の配信を受け、この配信を受けた動画をストリーミング再生でＴＡ表示部３６に表示する。このライブでの動画を表示する監視情報画面５２では、画像領域５２３に動画が表示され、そして、「ＬＩＶＥを見る」ボタン５２６に代え図略の「ＬＩＶＥ終了」ボタンが表示される。これによって携帯端末装置ＴＡには、ライブでの動画が表示される。前記図略の「ＬＩＶＥ終了」ボタンは、動画の終了を要求するためのボタンであって、前記センサＩＤの前記センサ装置ＳＵによって撮像される動画の配信を終了（停止）させ表示を終了（停止）させる指示を入力するためのボタンである。携帯端末装置ＴＡは、ＴＡ制御処理部３２によって、「ＬＩＶＥ終了」ボタンの入力操作を受け付けると、ＴＡストリーミング処理部３２４によって、現在、ＴＡ表示部３６に表示している被監視者Ｏｂを監視するセンサ装置ＳＵへ、動画配信の終了を要求する旨等の情報を収容した通信信号（動画配信終了通信信号）を送信し、静止画をＴＡ表示部３６に表示する。これによって携帯端末装置ＴＡは、ライブでの動画の表示を終了する。
【００９９】
このような動作によって、被監視者監視システムＭＳは、各センサ装置ＳＵ、管理サーバ装置ＳＶ、固定端末装置ＳＰおよび携帯端末装置ＴＡによって、大略、各被監視者Ｏｂにおける所定の行動を検知し、ナースコールを受け付けて、各被監視者Ｏｂを監視している。
【０１００】
（管理サーバ装置ＳＶの概略動作）
管理サーバ装置ＳＶは、上述の監視動作や、後述のケア計画の表示動作や、後述のケア記録の記録動作に関し、概略、次のように、動作している。
【０１０１】
図１２において、管理サーバ装置ＳＶは、ＳＶ制御部２２１によって、ＳＶ通信ＩＦ部２１で通信信号を受信したか否かを判断する（Ｓ１１）。この判断の結果、通信信号を受信していない場合（Ｎｏ）には、管理サーバ装置ＳＶは、処理をＳ１１に戻し、前記判断の結果、通信信号を受信している場合（Ｙｅｓ）には、管理サーバ装置ＳＶは、次の処理Ｓ１２を実行する。
【０１０２】
この処理Ｓ１２では、通信信号を受信すると、管理サーバ装置ＳＶは、ＳＶ制御処理部２２によって、この受信した通信信号の種類を判定する。この判定の結果、前記受信した通信信号が第１イベント通知通信信号である場合（第１イベント通知）には、管理サーバ装置ＳＶは、ＳＶ制御処理部２１のＳＶ監視処理部２２２によって、処理Ｓ１３を実行した後に処理Ｓ１９を実行する。前記判定の結果、前記受信した通信信号がケア計画要求通信信号である場合（ケア計画要求）には、管理サーバ装置ＳＶは、ＳＶ制御処理部２１のＳＶケア計画処理部２２３によって、処理Ｓ１４を実行した後に処理Ｓ１９を実行する。前記判定の結果、前記受信した通信信号が選択対象者通知通信信号である場合（選択対象者通知）には、管理サーバ装置ＳＶは、ＳＶ制御処理部２１のＳＶケア計画処理部２２３によって、処理Ｓ１５を実行した後に処理Ｓ１９を実行する。前記判定の結果、前記受信した通信信号が選択ケア通知通信信号である場合（選択ケア通知）には、管理サーバ装置ＳＶは、ＳＶ制御処理部２１のＳＶケア記録処理部２２４によって、処理Ｓ１６を実行した後に処理Ｓ１９を実行する。前記判定の結果、前記受信した通信信号がケア記録通知通信信号である場合（ケア記録通知）には、管理サーバ装置ＳＶは、ＳＶ制御処理部２１のＳＶケア記録処理部２２４によって、処理Ｓ１７を実行した後に処理Ｓ１９を実行する。そして、前記判定の結果、前記受信した通信信号が、第１イベント通知通信信号、ケア計画要求通信信号、選択対象者通知通信信号、選択ケア通知通信信号およびケア記録通知通信信号のうちのいずれでもない場合（その他）には、管理サーバ装置ＳＶは、ＳＶ制御処理部２１によって、処理Ｓ１８を実行した後に処理Ｓ１９を実行する。
【０１０３】
処理Ｓ１３では、ＳＶ監視処理部２２２は、監視情報の処理を実行する。すなわち、ＳＶ監視処理部２２２は、“監視動作”で上述したように、監視情報を記憶（記録）し、第２イベント通知通信信号を送信する。
【０１０４】
処理Ｓ１４では、ＳＶケア計画処理部２２３は、複数のケア対象者（被監視者）Ｏｂの中から、ケア計画を表示するケア対象者Ｏｂを選択するケア対象者Ｏｂの選択の処理を実行する。このケア対象者Ｏｂの選択の処理については、“ケア計画画面によるケア計画表示動作およびケア記録動作”で詳述する。
【０１０５】
処理Ｓ１５では、ＳＶケア計画処理部２２３は、処理Ｓ１１で受信した後述の選択対象者通知通信信号で通知されたケア対象者Ｏｂにおける未実施のケア計画要素をソートして端末装置ＳＰ、ＴＡに表示するように前記未実施のケア計画要素を前記端末装置ＳＰ、ＴＡへ出力（送信）するケア計画の処理を実行する。このケア計画の処理については、“ケア計画画面によるケア計画表示動作およびケア記録動作”で詳述する。
【０１０６】
処理Ｓ１６では、ＳＶケア記録処理部２２４は、処理Ｓ１１で受信した後述の選択ケア通知通信信号で通知されたケアの種類に対応する記録書式を端末装置ＳＰ、ＴＡへ返信する書式返信の処理を実行する。この書式返信の処理については、“ケア計画画面によるケア計画表示動作およびケア記録動作”で詳述する。
【０１０７】
処理Ｓ１７では、ＳＶケア記録処理部２２４は、処理Ｓ１１で受信した後述のケア記録通知通信信号に収容されたケアの内容をケア記録としてケア記録情報記憶部２３６に記憶し、ＳＶケア計画処理部２２３は、この受信したケア記録通知通信信号に収容されたケアに対応する未実施のケア計画要素を実施済みに変更し、ケア計画を更新するケア記録の処理を実行する。このケア記録の処理については、“ケア計画画面によるケア計画表示動作およびケア記録動作”で詳述する。
【０１０８】
前記処理Ｓ１８では、ＳＶ制御処理部２１は、処理Ｓ１１で受信した通信信号に応じた適宜な処理を実行する。例えば、上述の対応有意思通知通信信号である場合には、ＳＶ制御処理部２１は、対応フラグを更新し、対応有意思周知通信信号を送信する。
【０１０９】
そして、処理Ｓ１９では、管理サーバ装置ＳＶは、ＳＶ制御処理部２２によって、その稼働が終了（停止）か否かを判定する。この判定の結果、稼働の終了（停止）である場合（Ｙｅｓ）には、管理サーバ装置ＳＶは、本処理を終了し、一方、稼働の終了（停止）ではない場合（Ｎｏ）には、管理サーバ装置ＳＶは、処理を処理Ｓ１１に戻す。
【０１１０】
各通信信号の受信に際し、管理サーバ装置ＳＶは、大略、以上のように動作している。
【０１１１】
（ケア計画画面によるケア計画表示動作およびケア記録動作）
ケア計画出力システムを含む被監視者監視システムＭＳは、ケア計画画面（第１態様のケア計画画面）によるケア計画の表示およびケア記録に関し、次のように動作している。
【０１１２】
ケア者（監視者、ユーザ）は、ケア計画を携帯端末装置ＴＡに表示させる場合に、まず、メニューバー領域５１１のサブメニューボタン５１１１を入力操作する。メニューバー領域５１１は、上述した待受け画面５１、監視情報画面５２およびナースコール受付画面５３等の画面に表示される。前記サブメニューボタン５１１１は、サブメニュー画面を表示する指示を、当該携帯端末装置ＴＡに入力するためのボタンである。前記サブメニュー画面は、選択可能なサブメニューを表示し、サブメニューを選択するための画面である。
【０１１３】
図１５において、携帯端末装置ＴＡは、前記タッチパネルを構成するＴＡ入力部３５から、サブメニューボタン５１１１の入力操作を受け付けると、ＴＡ制御処理部３２によって、前記サブメニュー画面を要求する通信信号（サブメニュー要求通信信号）を管理サーバ装置ＳＶへ送信する（Ｃ１１）。前記サブメニュー要求通信信号には、前記サブメニュー画面を要求する命令（指示、コマンド、サブメニュー要求命令）および自機の端末ＩＤ等が収容される。
【０１１４】
管理サーバ装置ＳＶは、携帯端末装置ＴＡからサブメニュー要求通信信号を受信すると、上述の処理Ｓ１１、処理Ｓ１２および処理Ｓ１８によって、前記サブメニュー画面のデータ（電子ファイル）を収容した通信信号（サブメニュー通知通信信号）を携帯端末装置ＴＡへ返信する（Ｃ１２）。
【０１１５】
携帯端末装置ＴＡは、管理サーバ装置ＳＶからサブメニュー通知通信信号を受信すると、ＴＡ制御処理部３２によって、前記サブメニュー画面をＴＡ表示部３６に表示する。
【０１１６】
このサブメニュー画面６１は、一例では、図１６に示すように、サブメニューとして、「情報」ボタン６１１と、「スタッフ伝言板」ボタン６１２と、「ケア計画表示」ボタン６１３と、「ケア実施入力」ボタン６１４と、「ログアウト」ボタン６１５とを備える。「情報」ボタン６１１は、例えばログイン名（ケア者名（監視者名））、端末ＩＤ等の所定の情報を表示する指示を、当該携帯端末装置ＴＡに入力するためのボタンである。「スタッフ伝言板」ボタン６１２は、端末装置ＳＰ、ＴＡからケア者（監視者、ユーザ）によって管理サーバ装置ＳＶに登録（記憶）された伝言を表示する指示を、当該携帯端末装置ＴＡに入力するためのボタンである。「ケア計画表示」ボタン６１３は、端末装置ＳＰ、ＴＡにケア計画を表示させる指示を、当該携帯端末装置ＴＡに入力するためのボタンである。「ケア実施入力」ボタン６１４は、端末装置ＳＰ、ＴＡからケア者によってケア記録を管理サーバ装置ＳＶに記録する指示を、当該携帯端末装置ＴＡに入力するためのボタンである。「ログアウト」ボタン６１５は、ログアウトする指示を、当該携帯端末装置ＴＡに入力するためのボタンである。
【０１１７】
なお、サブメニュー画面６１は、画面情報記憶部３３２に予め記憶され、ＴＡ制御処理部３２は、サブメニューボタン５１１１の入力操作を受け付けると、画面情報記憶部３３２に予め記憶されたサブメニュー画面６１を取り出してＴＡ表示部３６に表示しても良い。
【０１１８】
携帯端末装置ＴＡにサブメニュー画面６１が表示されると、ケア者（監視者）は、ケア計画を表示させるために、「ケア計画表示」ボタン６１３を入力操作する。
【０１１９】
携帯端末装置ＴＡは、前記タッチパネルを構成するＴＡ入力部３５から、「ケア計画表示」ボタン６１３の入力操作を受け付けると、ＴＡ制御処理部３２によって、ケア計画の表示を要求する通信信号（ケア計画要求通信信号）を管理サーバ装置ＳＶへ送信する（Ｃ１３）。前記ケア計画要求通信信号には、前記ケア計画画面を要求する命令（指示、コマンド、ケア計画要求命令）および自機の端末ＩＤ等が収容される。
【０１２０】
管理サーバ装置ＳＶは、携帯端末装置ＴＡからケア計画要求通信信号を受信すると、上述の処理Ｓ１１、処理Ｓ１２および処理Ｓ１４によって、複数のケア対象者（被監視者）Ｏｂの中から、ケア計画を表示すべきケア対象者Ｏｂを決定するために、複数のケア対象者Ｏｂの中から１人のケア対象者Ｏｂの選択を要求するための通信信号（選択可能対象者通知通信信号）を携帯端末装置ＴＡへ返信する（Ｃ１４）。前記選択可能対象者通知通信信号には、ケア計画の表示の対象者として選択可能なケア対象者Ｏｂを表示し、前記ケア計画の表示の対象者（ケア対象者Ｏｂ）を選択するための画面（対象者選択画面）のデータ（電子ファイル）が収容される。
【０１２１】
前記対象者選択画面６２は、例えば、図１７に示すように、メニューバー領域５１１と、画面のタイトルを表示するタイトル表示領域６２１と、選択可能な１または複数のケア対象者Ｏｂを一覧で表示する対象者表示領域６２２（６２２−１〜６２２−６）と、「確定する」ボタン６２３とを備える。タイトル表示領域６２１には、対象者選択画面の場合、例えば、図１７に示すように「対象者選択」が表示される。対象者表示領域６２２に、選択可能なケア対象者を一覧で表示するために、ＳＶ制御処理部２２は、ＳＶケア計画処理部２２３によって、ＳＶセンサ情報記憶部２３３に記憶された被監視者名（ケア対象者名）および配設場所（ケア対象者の所在場所）それぞれを互いに対応付けて取り出し、配設場所およびケア対象者名をセット（組）で、対象者表示領域６２２に、当該対象者選択画面６２を表示する携帯端末装置ＴＡのＴＡ表示部３６を正面視した場合に上から下へ順に所定の基準でソートされて一覧で表示されるように、配置する。ソートの基準は、任意であり、例えば、ケア対象者名の５０音順（アルファベット順）や、配設場所の部屋番号順等である。図１７に示す例では、配設場所およびケア対象者名の各セットは、配設場所の部屋番号順でソートされている。この対象者選択画面６２が携帯端末装置ＴＡのＴＡ表示部３６に表示された場合に、対象者表示領域６２２（６２２−１〜６２２−６）は、１人のケア対象者（被監視者）Ｏｂを入力するために用いられ、監視者（携帯端末装置ＴＡのユーザ）によって選択されたケア対象者Ｏｂを、当該携帯端末装置ＴＡに入力するためのボタン（対象者選択ボタン）でもある。「確定する」ボタン６２３は、対象者表示領域６２２から入力されたケア対象者を管理サーバ装置ＳＶへ通知するための通信信号（選択対象者通知通信信号）を管理サーバ装置ＳＶへ送信する指示を、当該携帯端末装置ＴＡに入力するためのボタンである。
【０１２２】
管理サーバ装置ＳＶから選択可能対象者通知通信信号を受信すると、携帯端末装置ＴＡは、ＴＡ制御処理部３２によって、対象者選択画面６２をＴＡ表示部３６に表示する。なお、ＴＡ表示部３６の表示領域より、対象者表示領域６２２が広く、全ての対象者表示領域６２２がＴＡ表示部３６の表示領域に表示できない場合には、例えばフリック（ｆｌｉｃｋ  ｉｎｐｕｔ）によってＴＡ表示部３６の表示領域に表示される対象者表示領域６２２の領域部分が変更（例えばスクロール等）され、ＴＡ表示部３６の表示領域に表示されていない対象者表示領域６２２の他の領域部分が表示できるようになっている。
【０１２３】
このような対象者選択画面６２がＴＡ表示部３６に表示されている場合に、携帯端末装置ＴＡのユーザ（監視者）は、１人のケア対象者Ｏｂを選択するために、いずれか１つの対象者表示領域６２２を入力操作し、「確定する」ボタン６２３を入力操作する。例えば、監視者は、「１０２号室ＮＡＭＥ２様」を表示する対象者表示領域（対象者選択ボタン）６２２−２を入力操作し、「確定する」ボタン６２３を入力操作する。
【０１２４】
前記タッチパネルを構成するＴＡ入力部３５から、対象者表示領域６２２の入力操作を受け付けた後に、「確定する」ボタン６２３の入力操作を受け付けると、携帯端末装置ＴＡは、ＴＡ制御処理部３２によって、対象者表示領域６２２から入力された１人のケア対象者Ｏｂを管理サーバ装置ＳＶへ通知するための通信信号（選択対象者通知通信信号）を管理サーバ装置ＳＶへ送信する（Ｃ１５）。この選択対象者通知通信信号には、対象者表示領域６２２−１〜６２２−６の入力操作によって入力された１人のケア対象者Ｏｂのケア対象者名および自機の端末ＩＤが収容される。例えば、携帯端末装置ＴＡの端末ＩＤがＴＡ−１である場合において、上述の例では、選択対象者通知通信信号には、「ＮＡＭＥ２」および「ＴＡ−１」が収容される。
【０１２５】
管理サーバ装置ＳＶは、携帯端末装置ＴＡから選択対象者通知通信信号を受信すると、上述の処理Ｓ１１、処理Ｓ１２および処理Ｓ１５によって、処理Ｓ１１で受信した選択対象者通知通信信号で通知されたケア対象者Ｏｂにおける未実施のケア計画要素をソートして携帯端末装置ＴＡに表示するための通信信号（ケア計画通知通信信号）を携帯端末装置ＴＡへ返信する（Ｃ１６）。
【０１２６】
より具体的には、処理Ｓ１５において、管理サーバ装置ＳＶは、ＳＶケア計画処理部２２３で次のようにケア計画の処理を実行することによって、ケア計画通知通信信号を携帯端末装置ＴＡへ送信（返信）する。
【０１２７】
図１３において、ＳＶケア計画処理部２２３は、ケア計画ソート処理部２２３１によって、処理Ｓ１１で受信した選択対象者通知通信信号で通知されたケア対象者Ｏｂについて、未実施のケア計画要素をケア計画情報記憶部２３４から取得する（Ｓ１５１）。より具体的には、まず、ケア計画ソート処理部２２３１は、ケア計画情報記憶部２３４に記憶されている複数のケア計画情報テーブルＰＴ（ＰＴ−ＳＵ１、ＰＴ−ＳＵ２、ＰＴ−ＳＵ３、・・・）から、処理Ｓ１１で受信した選択対象者通知通信信号で通知されたケア対象者Ｏｂに対応するケア計画情報テーブルＰＴを選定（検索）する。上述の例では、ケア対象者名「ＮＡＭＥ２」のケア対象者Ｏｂに対応するケア計画情報テーブルＰＴ−ＳＵ２が選定される。次に、ケア計画ソート処理部２２３１は、この選定したケア計画情報テーブルＰＴから、実施フィールド２３４５に、実施フラグ「０」を登録する全てのレコードを選定（検索）する。次に、ケア計画ソート処理部２２３１は、この選定された全てのレコードそれぞれにおける実施予定時刻フィールド２３４１およびケア種類フィールド２３４３から、ケアの実施予定時刻とケアの種類とを互いに対応付けて未実施のケア計画要素として取り出す。なお、ケア計画は、１日（例えば０時から翌日の０時までや、５時から翌日の５時まで等）を単位とするので、前記未実施のケア計画要素は、当日の前記１日単位で取得される（したがって、昨日以前や翌日以後の前記未実施のケア計画要素は、取得されない）。これによって未実施のケア計画要素が取得される。
【０１２８】
次に、ＳＶケア計画処理部２２３は、ケア計画ソート処理部２２３１によって、この取得した未実施のケア計画要素を、所定の時点（例えばこのソートの時点やケア計画要求通知通信信号の受信時点）を基準に、時刻に関する所定の順で、ソートする（Ｓ１５２）。前記時刻に関する所定の順は、本実施形態では、実施予定時刻順である。このようにソートされることによって、ケア対象者Ｏｂの事情や状況が考慮される。
【０１２９】
次に、ＳＶケア計画処理部２２３は、ケア計画出力処理部２２３２によって、ケア計画を表示する場合にケア計画ソート処理部２２３１でソートされた順で表示するように、ケア計画ソート処理部２２３１でソートした未実施のケア計画要素を端末装置ＳＰ、ＴＡへ送信するための通信信号（ケア計画通知通信信号）を生成する（Ｓ１５３）。
【０１３０】
より具体的には、ケア計画出力処理部２２３２は、ケア計画ソート処理部２２３１でソートされた順でケア計画を携帯端末装置ＴＡに表示するケア計画画面を生成し、この生成したケア計画画面を収容するケア計画通知通信信号を、処理Ｓ１１で受信した選択対象者通知通信信号の送信元宛に、生成する。
【０１３１】
このケア計画画面（第１態様のケア計画画面）６３ａは、一例では、図１８に示すように、メニューバー領域５１１と、ケア対象者表示領域６３１と、ケア計画表示領域６３２ａとを備える。図１８には、携帯端末装置ＴＡに表示された場合の第１態様のケア計画画面６３ａが示されている。前記ケア対象者表示領域６３１は、ケア計画画面６３では、ケア計画の対象者であるケア対象者Ｏｂ（対象者選択画面６２で選択されたケア対象者Ｏｂ（処理Ｃ１５で通知された選択対象者通知通信信号に収容されたケア対象者Ｏｂ））を表示する領域である。前記ケア計画表示領域６３２は、前記ケア対象者表示領域６３１に表示されたケア対象者Ｏｂにおける未実施のケア計画要素を、当該ケア計画表示画面６３ａを表示する携帯端末装置ＴＡのＴＡ表示部３６を正面視した場合に上から下へ順に、処理Ｓ１５２でケア計画ソート処理部２２３１でソートされた順に従って一覧で表示する領域である。ケア計画表示領域６３２ａには、前記未実施のケア計画要素におけるケアの種類名およびその実施予定時刻の組が表示される。すなわち、ケア計画表示領域６３２ａは、前記ケアの種類名を表示するケア種類名表示領域６３２１ａ−ａと、前記ケアの実施予定時刻を表示する実施予定時刻表示領域６３２１ａ−ｂとを備える。そして、このケア計画表示領域６３２ａは、携帯端末装置ＴＡにおける前記タッチパネルに表示された場合に、前記記録書式を前記タッチパネルに表示させる指示を携帯端末装置ＴＡに入力するためのボタンとなっている。ケア計画出力処理部２２３２は、このような第１態様のケア計画画面６３ａを所定のマークアップ言語で作成し、その電子ファイルを収容した、処理Ｓ１１で受信した選択対象者通知通信信号の送信元宛のケア計画通知通信信号を生成する。
【０１３２】
一例では、処理Ｓ１５１において、ケア計画情報記憶部２３４から、ケア対象者名「ＮＡＭＥ２」のケア対象者Ｏｂにおける未実施のケア計画要素として、「１６：５０、水分ケア」、「１７：４０、排泄ケア」、「１８：００、食事ケア」および「１９：００、バイタル」が取得された場合に、処理Ｓ１５２では、このソートの時点「１６：００」を基準に、実施予定時刻順に、「１６：５０、水分ケア」、「１７：４０、排泄ケア」、「１８：００、食事ケア」および「１９：００、バイタル」とソートされ、処理Ｓ１５３では、図１８に示す第１態様のケア計画画面６３ａが作成される。すなわち、第１態様のケア計画画面６３ａにおけるケア計画表示領域６３２ａは、「水分ケア、１６：５０」を表示する「水分ケア」領域６３２ａ−１、「排泄ケア、１７：４０」を表示する「排泄ケア」領域６３２ａ−２、「食事ケア、１８：００」を表示する「食事ケア」領域６３２ａ−３、および、「バイタル、１９：００」を表示する「バイタル」領域６３２ａ−４を備え、これらは、この順でケア計画表示領域６３２ａに並べられる。本実施形態では、携帯端末装置ＴＡを正面視した場合に、前記所定の順の順位が相対的に高い未実施のケア計画要素（この例では実施予定時刻が相対的に早い時刻の未実施のケア計画要素）がＴＡ表示部３６の表示領域の上側に表示され、前記所定の順の順位が相対的に低い未実施のケア計画要素（この例では実施予定時刻が相対的に遅い時刻の未実施のケア計画要素）がその下側に表示される。そして、携帯端末装置ＴＡにおける前記タッチパネルに表示された場合に、前記「水分ケア」領域６３２ａ−１は、水分ケア用の記録書式を前記タッチパネルに表示させる指示を携帯端末装置ＴＡに入力するためのボタンであり、前記「排泄ケア」領域６３２ａ−２は、排泄ケア用の記録書式を前記タッチパネルに表示させる指示を携帯端末装置ＴＡに入力するためのボタンであり、前記「食事ケア」領域６３２ａ−３は、食事ケア用の記録書式を前記タッチパネルに表示させる指示を携帯端末装置ＴＡに入力するためのボタンであり、そして、前記「バイタル」領域６３２ａ−４は、バイタル用の記録書式を前記タッチパネルに表示させる指示を携帯端末装置ＴＡに入力するためのボタンである。このような第１態様のケア計画画面６３ａが作成され、その電子ファイルを収容した、処理Ｓ１１で受信した選択対象者通知通信信号の送信元宛のケア計画通知通信信号が生成される。
【０１３３】
なお、図１８に示すように、ケア種類名表示領域６３２１ａ−ａには、ケアの種類名だけでなく、ケアの種類を象徴的に表すアイコン（ケア種類アイコン）が表示されても良い。また、図１８に示すように、未実施のケア計画要素を表示する個々の領域６３２ａ−１〜６３２ａ−４には、未実施のケア計画要素だけでなく、ケア記録の内容も表示されても良い。例えば、図１８に示す例では、本日、前日および前回におけるケア記録の各内容が表示される。このケア記録の各内容を前記領域６３２ａに表示するために、ＳＶケア計画処理部２２３は、ケア対象者Ｏｂに対応する本日、前日および前回におけるケア記録の各内容をケア記録情報記憶部２３６から取り出し、この取り出した本日、前日および前回におけるケア記録の各内容を用いてケア計画画面６３ａの電子ファイルを生成する。
【０１３４】
そして、ＳＶケア計画処理部２２３は、ケア計画出力処理部２２３２によって、処理Ｓ１５３で生成したケア計画通知通信信号をＳＶ通信ＩＦ部２１で送信し、処理Ｓ１１で受信した選択対象者通知通信信号の送信元である携帯端末装置ＴＡへ返信する（Ｓ１５４）。
【０１３５】
管理サーバ装置ＳＶは、このようにケア計画の処理Ｓ１５を実行する。
【０１３６】
図１５に戻って、携帯端末装置ＴＡは、管理サーバ装置ＳＶからケア計画通知通信信号を受信すると、ＴＡ制御処理部３２のＴＡケア計画処理部３２５によって、前記ケア計画画面６３ａをＴＡ表示部３６に表示する。なお、このケア計画画面６３ａでは、ＴＡ表示部３６の表示領域より、ケア計画表示領域６３２ａが広く、全てのケア計画表示領域６３２ａがＴＡ表示部３６の表示領域に表示できない場合（例えば、ケア計画表示領域６３２ａが１０個のケア計画表示領域６３２ａ−１〜６３２ａ−１０を備える場合）には、例えばフリック（ｆｌｉｃｋ  ｉｎｐｕｔ）によってＴＡ表示部３６の表示領域に表示されるケア計画表示領域６３２ａの領域部分が変更（例えばスクロール等）され、ＴＡ表示部３６の表示領域に表示されていないケア計画表示領域６３２ａの他の領域部分が表示できるようになっている。
【０１３７】
ケア者は、携帯端末装置ＴＡのＴＡ表示部３６に表示されたケア計画画面６３ａを参照し、対象者選択画面６２で選択したケア対象者Ｏｂに対し、これから実施するケアの種類を決定する。ケア計画画面６３ａには、未実施のケア計画要素が前記所定の順（この例では実施予定時刻順）で上側から下側へ表示されるので、ケア者は、未実施のケア計画要素の並び順を参考に、これから実施するケアの種類を決定する。
【０１３８】
前記決定したケアを実施した後、ケア者は、ケア記録を付けるために、ケア計画画面６３ａにおいて、この実施したケアに対応する、未実施のケア計画要素を表示するケア計画表示領域（ボタン）６３２ａを入力操作する。
【０１３９】
携帯端末装置ＴＡは、前記タッチパネルを構成するＴＡ入力部３５から、ケア計画表示領域（ボタン）６３２ａの入力操作を受け付けると、ＴＡ制御処理部３２のＴＡケア記録処理部３２６によって、選択ケア通知通信信号を管理サーバ装置ＳＶへ送信する（Ｃ１７）。この選択ケア通知通信信号には、前記タッチパネルを構成するＴＡ表示部３６に表示されたケア計画画面６３ａにおけるケア対象者表示領域６３１に表示されたケア対象者Ｏｂのケア対象者名（処理Ｃ１４において対象者選択画面６２で選択されたケア対象者名）、前記入力操作を受け付けたケア計画表示領域（ボタン）６３２ａに表示されたケアの種類名、これらケア対象者名およびケアの種類名に対応する記録書式を要求する命令（指示、コマンド、記録書式要求命令）、および、自機の端末ＩＤ等が収容される。
【０１４０】
管理サーバ装置ＳＶは、携帯端末装置ＴＡから選択ケア通知通信信号を受信すると、上述の処理Ｓ１１、処理Ｓ１２および処理Ｓ１６によって、記録書式のデータ（電子ファイル）を収容した、記録書式を通知するための通信信号（書式通知通信信号）を携帯端末装置ＴＡへ返信する（Ｃ１８）。より具体的には、処理Ｓ１６において、管理サーバ装置ＳＶは、ＳＶ制御処理部２２のＳＶケア記録処理部２２４によって、まず、この受信した選択ケア通知通信信号に収容されたケアの種類名に対応する記録書式の電子ファイルを書式情報記憶部２３５から取り出す。次に、ＳＶケア記録処理部２２４は、この取り出した記録書式の電子ファイルに基づいて、前記受信した選択ケア通知通信信号に収容されたケア対象者名に対応する記録書式の電子ファイルを生成する。そして、ＳＶケア記録処理部２２４は、この生成した記録書式の電子ファイルを収容した書式通知信通信信号を生成して前記携帯端末装置ＴＡへ返信する。
【０１４１】
管理サーバ装置ＳＶから書式通知通信信号を受信すると、携帯端末装置ＴＡは、ＴＡケア記録処理部３２６によって、記録書式画面６４をＴＡ表示部３６に表示する。
【０１４２】
例えば、処理Ｃ１７で「１８：００、食事ケア」を表示するケア計画表示領域（ボタン）６３２ａ−３が入力操作されると、携帯端末装置ＴＡは、ＴＡケア記録処理部３２６によって、ケア対象者Ｏｂのケア対象者名として「ＮＡＭＥ２」およびケアの種類名として「食事ケア」を収容した選択ケア通知通信信号を管理サーバ装置ＳＶへ送信し、処理Ｃ１８で、その返信として、ケア対象者名「ＮＡＭＥ２」に対応する食事ケア用の記録書式の電子ファイルを収容した書式通知信通信信号を受信し、例えば、図１９に示す食事ケア用記録書式画面６４ａをＴＡ表示部３６に表示する。
【０１４３】
この食事ケア用記録書式画面６４ａは、食事ケア用の記録書式を表示する画面であって、実施した食事ケアの内容をケア記録として入力するための画面である。前記食事ケア用記録書式画面６４ａは、例えば、図１９に示すように、メニューバー領域５１１と、ケア対象者表示領域６３１と、ケア記録入力領域６４１ａと、共有化チェックボックス（□）６４２と、「送信する」ボタン６４３とを備える。前記ケア対象者表示領域６３１は、記録書式画面６４では、ケア記録の対象者であるケア対象者Ｏｂ（処理Ｃ１７で通知された選択ケア通知通信信号に収容されたケア対象者Ｏｂ）を表示する領域である。前記ケア記録入力領域６４１ａは、ケアの内容として入力すべき入力項目を表示して前記入力項目に応じたケアの内容をケア記録として入力する領域である。前記共有化チェックボックス（□）６４２は、このケア記録を他の端末装置ＳＰ、ＴＡから参照可能とするか否かの設定を入力する領域である。
【０１４４】
食事ケア用の記録書式では、例えば、本実施形態では、前記入力項目として主食の摂取量、副食の摂取量、メモおよびケア実施時刻であり、これらを入力するために、ケア記録入力領域６４１ａは、主食量を入力するための主食量入力領域６４１ａ−１と、副食量を入力するための副食量入力領域６４１ａ−２と、メモを入力するための自由記述入力領域６４１ａ−３と、ケアを実施した時刻を入力するためのケア実施時間入力領域６４１ａ−４とを備える。ケア録入力領域６４１ａ（６４１ａ−１〜６４１ａ−４）には、前記タッチパネルを構成するＴＡ入力部３５の入力操作によって、ケアの内容（図１９に示す例では食事ケアの内容）が入力される。共有化チェックボックス６４２では、前記タッチパネルを構成するＴＡ入力部３５から、チェックの入力操作を受け付けると、共有化チェックボックス６４２内に「レ」が表示され、記録書式画面６４（図１９に示す例では当該食事ケア用記録書式画面６４ａ）に入力された内容を他の端末装置ＳＰ、ＴＡから参照できるように設定する指示が入力される。一方、前記チェックの入力操作を受け付けないと、共有化チェックボックス６４２内は、空欄で表示され、記録書式画面６４（図１９に示す例では当該食事ケア用記録書式画面６４ａ）に入力された内容を他の端末装置ＳＰ、ＴＡから参照できないように設定する指示が入力される。「送信する」ボタン６４３は、記録書式画面６４（図１９に示す例では当該食事ケア用記録書式画面６４ａ）に入力された内容（図１９に示す例では食事ケアの内容）を管理サーバ装置ＳＶへ送信する指示を入力するためのボタンである。
【０１４５】
なお、記録書式の他の一例として図２０にモーニングケア用記録書式画面を図示し、他の記録書式の図示を省略するが、水分補給ケア用記録書式画面、排泄ケア用記録書式、バイタルケア用記録書式画面および服薬ケア用記録書式画面等が、予め用意され、書式情報記憶部２３５に記憶される。
【０１４６】
この図２０に示すモーニングケア用記録書式画面６４ｂは、モーニングケア用の記録書式を表示する画面であって、実施したモーニングケアの内容をケア記録として入力するための画面である。前記モーニングケア用記録書式画面６４ｂは、例えば、メニューバー領域５１１と、ケア対象者表示領域６３１と、ケアの内容として入力すべき入力項目を表示して前記入力項目に応じたケアの内容をケア記録として入力するケア記録入力領域６４１ｂと、共有化チェックボックス（□）６４２と、「送信する」ボタン６４３とを備える。
【０１４７】
モーニングケア用の記録書式では、例えば、本実施形態では、前記入力項目として更衣、整容、整髪、口腔ケア、洗面、離床、清拭およびその他の各項目、メモならびにケア実施時間であり、これらを入力するために、ケア記録入力領域６４１ｂは、更衣の有無を入力するための更衣入力チェックボックス（□）、整容の有無を入力するための整容入力チェックボックス（□）、整髪の有無を入力するための整髪入力チェックボックス（□）、口腔ケアの有無を入力するための口腔ケア入力チェックボックス（□）、洗面の有無を入力するための洗面入力チェックボックス（□）、離床の有無を入力するための離床入力チェックボックス（□）、清拭の有無を入力するための清拭入力チェックボックス（□）およびその他の有無を入力するためのその他入力チェックボックス（□）を備える項目領域６４１ｂ−１と、メモを入力するための自由記述入力領域６４１ｂ−２と、ケアを実施した時刻を入力するためのケア実施時間入力領域６４１ｂ−３とを備える。前記タッチパネルを構成するＴＡ入力部３５から、チェックの入力操作を受け付けると、チェックボックス内に「レ」が表示され、チェックボックスに対応する入力項目の看介護の実施が入力される。
【０１４８】
なお、このモーニングケア用記録書式画面６４ｂは、イブニングケア用の記録書式を表示する画面であって、実施したイブニングケアの内容を看介護記録として入力するための画面としても用いられる。
【０１４９】
より具体的には、ケア者は、まず、ＴＡ表示部３６に表示された記録書式を参照し、この記録書式の入力項目に応じたケアの内容を入力する。この入力されたケアの内容は、ＴＡケア記録処理部３２６によって、ケア記録として、ケア対象者表示領域６３１に表示されているケア対象者名と対応付けてＴＡ記憶部３３に一時的に記憶される。例えば、食事ケアのケア記録では、ケア者は、ＴＡ表示部３６に表示された食事ケア用記録書式画面６４ａを参照し、この食事ケア用記録書式画面６４ａのケア記録入力領域６４１ａにおける各領域６４１ａ−１〜６４１ａ−５に、食事ケアの内容（例えば主食量、副食量およびケア実施時刻、必要に応じてメモ）を入力し、必要に応じて、共有化チェックボックス（□）６４２を入力操作する。そして、ケア者は、「送信する」ボタン６４３を入力操作する。
【０１５０】
図１５に戻って、「送信する」ボタン６４３の入力操作を受け付けると、携帯端末装置ＴＡは、ＴＡケア記録処理部３２６によって、自機の端末ＩＤ、ケア対象者名（被監視者名）、ならびに、記録書式画面６４を用いて入力されＴＡ記憶部３３に記憶されたケア記録の内容（上述の例では食事ケア用記録書式画面６４ａを用いて入力された主食量、副食量、メモ、ケア実施時刻および共有化の許否）を収容するケア記録通知通信信号を管理サーバ装置ＳＶへ送信する（Ｃ１９）。送信すると、ＴＡケア記録処理部３２６は、ＴＡ記憶部３３に記憶された前記ケア記録の内容を消去（削除）する。
【０１５１】
管理サーバ装置ＳＶは、携帯端末装置ＴＡからケア記録通知通信信号を受信すると、上述の処理Ｓ１１、処理Ｓ１２および処理Ｓ１７によって、この受信したケア記録通知通信信号を処理する。
【０１５２】
より具体的には、処理Ｓ１７において、管理サーバ装置ＳＶは、ＳＶケア計画処理部２２３およびケア記録処理部２２４で次のようにケア記録の処理を実行することによって、ケア記録通知通信信号を処理する。
【０１５３】
図１４において、ＳＶケア計画処理部２２３は、前記処理Ｓ１１で携帯端末装置ＴＡから受信したケア記録通知通信信号に収容された、ケアを実施したケア対象者名とケア記録の内容（上述の例では主食量、副食量、メモ、ケア実施時刻および共有化の許否）とを互いに対応付けてケア記録情報記憶部２３６に記憶する（Ｓ１７１）。
【０１５４】
次に、ケア計画処理部２２３は、ケア計画更新処理部２２３３によって、実施状況情報（本実施形態では実施フラグ）を更新する（Ｓ１７２）。より具体的には、ケア計画更新処理部２２３３は、ケア計画情報記憶部２３４に記憶されたケア計画情報から、前記処理Ｓ１１で受信したケア記録通知通信信号に収容されたケア対象者名に対応するケア計画情報を選定（検索）し、この選定したケア計画情報から、前記処理Ｓ１１で受信したケア記録通知通信信号に収容されたケアの種類名に対応し、かつ、未実施のケア計画情報を選定（検索）し、この選定したケア計画情報における実施状況情報を実施済みに設定してケア計画情報記憶部２３４に記憶する。より詳しくは、ケア計画更新処理部２２３３は、ケア計画情報記憶部２３４に記憶されたケア計画情報テーブルＰＴから、前記処理Ｓ１１で受信したケア記録通知通信信号に収容されたケア対象者名に対応するケア計画情報テーブルＰＴを選定（検索）し、この選定したケア計画情報テーブルＰＴから、前記処理Ｓ１１で受信したケア記録通知通信信号に収容されたケアの種類名を、ケア種類フィールド２３４３に登録するレコードであって、実施フィールド２３４５に、未実施を意味する実施フラグ「０」を登録する前記レコードを選定（検索）し、この選定したレコードの実施フィールド２３４５に、実施済みを意味する実施フラグ「１」を登録する。これによってケア計画情報テーブルＰＴにケア計画の進行状況が更新され、登録される。なお、この選定したケア計画情報テーブルＰＴに、前記処理Ｓ１１で受信したケア記録通知通信信号に収容されたケアの種類名を、ケア種類フィールド２３４３に登録するレコードであって、実施フィールド２３４５に、未実施を意味する実施フラグ「０」を登録する前記レコードが複数ある場合には、これら複数のレコードのうち、前記処理Ｓ１１で受信したケア記録通知通信信号に収容されたケア実施時刻に最も近い実施予定時刻を、実施予定時刻フィールド２３４１に登録しているレコードが選択され、この選択されたレコードの実施フィールドに、実施済みを意味する実施フラグ「１」が登録される。なお、これら複数のレコードのうち、最も古い実施予定時刻を、実施予定時刻フィールド２３４１に登録しているレコードが選択されてもよい。
【０１５５】
次に、ケア計画処理部２２３は、ケア計画更新処理部２２３３によって、次回ケアの実施予定を自動的に作成するケアであるか否かを判定する（Ｓ１７３）。より具体的には、ケア計画更新処理部２２３３は、前記処理Ｓ１１で受信したケア記録通知通信信号に収容されたケアの種類名が、次回ケア情報記憶部２３７に記憶されているか否かを判定する。この判定の結果、記憶されている場合には、ケア計画更新処理部２２３３は、次回ケアの実施予定を自動的に作成するケアであると判定し（Ｙｅｓ）、次の処理Ｓ１７４および処理Ｓ１７５を順次に実行し、本処理を終了する。一方、前記判定の結果、記憶されていない場合には、ケア計画更新処理部２２３３は、次回ケアの実施予定を自動的に作成するケアではないと判定し（Ｎｏ）、本処理を終了する。
【０１５６】
処理Ｓ１７４では、ケア計画処理部２２３は、ケア計画更新処理部２２３３によって、時計部２２５から現在時刻を取得する。
【０１５７】
処理Ｓ１７４の次に、ケア計画処理部２２３は、ケア計画更新処理部２２３３によって、次回実施予定で、ケア計画情報記憶部２３４に記憶されたケア計画情報を更新し、記憶する（Ｓ１７５）。より具体的には、ケア計画更新処理部２２３３は、前記処理Ｓ１１で受信したケア記録通知通信信号に収容されたケア対象者およびケアの種類名に対応する次回ケア情報をＳＶ記憶部２３から取り出し、この取り出した次回ケア情報、および、必要に応じて前記処理Ｓ１７４で取得した現在時刻、に基づいて次回の実施予定時刻を求めて次回のケア計画要素を生成し、この生成した次回のケア計画要素でケア計画情報記憶部２３４に記憶されたケア計画情報を更新し、記憶する。より詳しくは、ケア計画更新処理部２２３３は、次回ケア情報記憶部２３７に記憶された次回ケア情報テーブルＮＴから、前記処理Ｓ１１で受信したケア記録通知通信信号に収容されたケア対象者名を、ケア対象者名フィールド２３７１に登録するレコードを選定（検索）し、この選定したレコードにおける、前記処理Ｓ１１で受信したケア記録通知通信信号に収容されたケアの種類名を対応する次回ケア情報フィールド２３７２のサブフィールドに登録された次回ケア情報を取り出す。この取り出した次回ケア情報が定時刻である場合には、ケア計画更新処理部２２３３は、この定時刻を次回の実施予定時刻に設定（決定）し、一方、この取り出した次回ケア情報が時間間隔である場合には、ケア計画更新処理部２２３３は、この取り出した時間間隔を前記処理Ｓ１７４で取得した現在時刻に加算し、この加算結果の時刻を次回の実施予定時刻に設定（決定）する。なお、前記現在時刻に代え、前記処理Ｓ１１で受信したケア記録通知通信信号に収容されたケア実施時刻が用いられても良い（この場合処理Ｓ１７４は省略できる）。そして、ケア計画更新処理部２２３３は、前記処理Ｓ１７２で選定したケア計画情報テーブルＰＴに新たにレコードを追加し、この追加したレコードにおける実施予定時刻フィールド２３４１、ケア種類フィールド２３４３および実施フィールド２３４５それぞれに、前記設定（決定）した次回の実施予定時刻、前記処理Ｓ１１で受信したケア記録通知通信信号に収容されたケアの種類名、および、未実施を意味する実施フラグ「０」それぞれを登録する。これによってケア計画情報記憶部２３４が自動的に更新される。なお、ケア計画更新処理部２２３３は、さらに、このケア計画情報テーブルＰＴを実施予定時刻フィールド２３４１の実施予定時刻でソートし、ケア計画情報記憶部２３４に記憶しても良い。
【０１５８】
一例として、図５において、ＮＡＭＥ１に対し水分補給ケアを実施したケア記録がケア記録通知通信信号によって１０：００に受信されると、このケア計画要素を登録した５番目のレコードの実施フィールド２３４５における実施フラグ「０」が実施フラグ「１」に変更され（図５では変更前の実施フラグ「０」が図示されている）、図５に斜体字で示すように、３時間後の実施予定時刻１３：００の水分補給ケアのレコードがケア計画要素として新規にケア計画情報テーブルＰＴ−ＳＵ１に追加され、ケア計画情報記憶部２３４に記憶される。
【０１５９】
管理サーバ装置ＳＶは、このようにケア記録の処理Ｓ１７を実行する。
【０１６０】
そして、ケア記録通知通信信号を送信した携帯端末装置ＴＡは、ＴＡ制御処理部３２によって、処理Ｃ１１でサブメニューボタン５１１１を入力操作した画面をＴＡ表示部３６に表示する。例えば、処理Ｃ１１で待受け画面５１のサブメニューボタン５１１１を入力操作した場合には、待受け画面５１が表示される。
【０１６１】
なお、処理Ｃ１１でサブメニューボタン５１１１を入力操作した画面に代え、ケア記録通知通信信号を送信した携帯端末装置ＴＡは、第１態様のケア計画画面６３ａをＴＡ表示部３６に表示しても良い。この場合では、管理サーバ装置ＳＶは、ケア記録の処理Ｓ１７において、さらに、ケア計画画面６３ａを更新して携帯端末装置ＴＡに送信する処理をさらに実行する。より具体的には、管理サーバ装置ＳＶは、上述したケア計画の処理Ｓ１５、すなわち、図１３に示す処理Ｓ１５１ないし処理Ｓ１５４の各処理を実行する。ここで、この処理Ｓ１５２では、ケア計画ソート処理部２２３１は、ケア計画情報記憶部２３４に記憶した複数のケア計画における未実施のケア計画要素が実施済みに変更された場合に、前記変更後の複数のケア計画に基づいて、再度、ソートすることになる。本実施形態では、上述したように、実施済みのケアについて次回の実施予定時刻でケア計画が更新されるので、ケア計画ソート処理部２２３１は、前記変更後であって前記更新後の複数のケア計画に基づいて、再度、ソートすることになる。これによれば、実施済みのケア計画要素がケア計画画面６３ａの表示から削除され、管理サーバ装置ＳＶ（ケア計画出力装置）は、ケア対象者Ｏｂに対するケアの進捗状況に応じたケア計画を表示するように、前記ケア計画を出力（送信）できる。そして、これによれば、管理サーバ装置ＳＶ（ケア計画出力装置）は、実施済みのケア計画要素について次回の予定を組み入れたケア計画要素を表示するように、前記ケア計画を出力（送信）できる。
【０１６２】
ケア計画出力システムを含む被監視者監視システムＭＳは、ケア計画画面によるケア計画の表示およびケア記録に関し、以上のように動作している。
【０１６３】
以上説明したように、本実施形態におけるケア計画出力システムを含む被監視者監視システムＭＳ、前記ケア計画出力装置を含む管理サーバ装置ＳＶおよびこれに実装されたケア計画出力方法は、所定の時点を基準に所定の順で、ケア対象者（被監視者）Ｏｂにおける未実施のケア計画要素をソートし、ケア計画を表示する場合にソートされた順で表示するように、前記未実施のケア計画要素を出力する。所定の時間間隔で実施されるケアにおける前記所定の時間間隔が、ケア対象者Ｏｂの事情や状況に応じて設定され、実際のケアを実施した後に前記所定の時間間隔で次回のケアが予定されることで、前記ケア計画を表示する場合に、ケア対象者Ｏｂにおける未実施のケア計画要素が、ケア対象者Ｏｂの状況や事情に応じてソートされる。このため、ケア者は、ソートされた未実施のケア計画要素を参照することで、ケア対象者Ｏｂの状況や事情に応じて優先的に実施すべき未実施のケア計画要素を認識できる。したがって、上記被監視者監視システムＭＳ（ケア計画出力システム）、管理サーバ装置ＳＶ（ケア計画出力装置）およびケア計画出力方法は、ケア対象者Ｏｂの状況や事情に応じたより適切なケアを実施できる。また、上記被監視者監視システムＭＳ（ケア計画出力システム）、管理サーバ装置ＳＶ（ケア計画出力装置）およびケア計画出力方法は、未実施のケア計画要素をソートし、表示するので、未実施のケア計画要素を比較でき、最初に実施すべきケア計画を適切に決定できる。
【０１６４】
従前のケア計画は、上述したように、通常、事前に計画され作成され、決定される。ケア対象者Ｏｂの事情や状況等を考慮して決められる前記所定の時間間隔で実施されるケアも初回ケアの実施予定時刻が決定されれば、次回以降も、事前に決定できる。しかしながら、実際の業務では、ケアをその実施予定所刻に実施できないこともあるため、今回の実施時刻と次回の実施予定時刻との間隔が予め設定した前記所定の時間間隔になるとは限らず、計画段階で、ケア対象者Ｏｂの事情や状況等を考慮して前記所定の時間間隔が決められても、実際の運用段階では、ケア対象者Ｏｂの事情や状況等を考慮したものとはならないことが多い。本実施形態では、上述のように、実際に実施したケアに基づいて次回の実施予定時刻が決定されるので、ケア対象者Ｏｂの事情や状況等を考慮して決められた前記所定の時間間隔が守られ、ケア対象者の事情や状況を考慮して決められた所定の時間間隔で実施されるケアに適切に対応できる。しかも、ケア計画を表示する際に、未実施のケア計画要素が実施予定時刻順にソートされ、そのソート順で表示されるので、ケア対象者の事情や状況に応じたより適切なケアを実施できる。
【０１６５】
本実施形態によれば、所定の時間間隔で実施されるケアを含むケア計画を好適に表示するように出力できるケア計画出力装置、ケア計画出力方法およびケア計画出力システムならびに被監視者監視システムＭＳが提供できる。
【０１６６】
本実施形態によれば、１日における定時刻に実施されるケアを含むケア計画を好適に表示するように出力できるケア計画出力装置、ケア計画出力方法およびケア計画出力システムならびに被監視者監視システムＭＳが提供できる。
【０１６７】
ケア計画を参照したケア者は、通常、ケア対象者Ｏｂを決め、ケアを実施する。ケアを実施すると、ケア者は、ケアの内容を、看護記録や介護記録等のケア記録を付ける。上記ケア計画出力システムを含む被監視者監視システムＭＳでは、前記ケアの種類名を表示するケア計画表示領域６３２ａは、前記ボタンである。したがって、上記ケア計画出力システムを含む被監視者監視システムＭＳでは、ケア者は、ケア計画を参照してケアの対象に決めたケアの種類名を表示するケア計画表示領域６３２ａを入力操作することで、タッチパネルを構成するＴＡ表示部３６に記録書式を表示でき、より少ない入力操作でケア記録を付けることができる。
【０１６８】
上記ケア計画出力システムを含む被監視者監視システムＭＳでは、端末装置ＳＰ、ＴＡが記録書式を用いてケアの内容を受け付け、このケアの内容を管理サーバ装置ＳＶへ送信し、このケアの内容を端末装置ＳＰ、ＴＡから受信した管理サーバ装置ＳＶは、このケアに対応する未実施のケア計画要素を実施済みに変更（更新）する。したがって、ケアを実施したケア者は、そのケアのケア記録を付けるだけで、未実施のケア計画要素を実施済みに変更（更新）でき、別途、未実施のケア計画要素を実施済みに変更する操作が不要となる。
【０１６９】
なお、上述の実施形態において、第１態様のケア計画画面６２ａに代え、第２態様のケア計画画面が用いられても良い。この第２態様のケア計画画面では、実施予定時刻を経過したケア計画要素が有る旨の警告が、表示される。この場合では、ケア計画出力処理部２２３２は、時計部２２５から時刻を取得し、ケア計画ソート処理部２２３１でソートした未実施のケア計画要素の中に、実施予定時刻が時計部２２５から取得した時刻よりも前であるケア計画要素が有る場合には、前記ケア計画を表示する場合に、実施予定時刻を経過したケア計画要素が有る旨の前記警告を表示するように、ケア計画ソート処理部２２３１でソートした未実施のケア計画要素を出力する。これによって、ケア者は、前記警告の表示を参照することで、実施予定時刻を経過したケア計画要素が有ることを認識でき、より優先すべき未実施のケア計画要素を認識し易くなる。
【０１７０】
前記警告は、実施予定時刻を経過したケア計画要素が有る旨のメッセージやアイコン（警告アイコン）を第２態様のケア計画画面に表示することによって実施されても良いが、例えば、実施予定時刻が時計部２２５から取得した時刻より前である未実施のケア計画要素（経過後未実施ケア計画要素）と、実施予定時刻が時計部２２５から取得した時刻以後である未実施のケア計画要素（経過前未実施ケア計画要素）とを互いに異なる表示態様で第２態様のケア計画画面に表示することによって実施される。この場合では、ケア計画出力処理部２２３２は、前記ケア計画を表示する場合に、前記経過後未実施ケア計画要素と、前記経過前未実施ケア計画要素とを互いに異なる表示態様で表示するように、ケア計画ソート処理部２２３１でソートした未実施のケア計画要素を出力することで、前記警告を行う。例えば、経過後未実施ケア計画要素を表示するケア計画表示領域６２２と、経過前未実施ケア計画要素を表示するケア計画表示領域６２２とは、例えば表示色（下地色が赤色や青色等）や点灯状態（点滅点灯や常時点灯等）が互いに異なるように、表示される。図２１には、点灯状態を変えた第２態様のケア計画画面６３ｂの一例が示されている。図２１は、前記被監視者監視システムにおける第２態様のケア計画表示画面の一例を示す図である。この図２１に示す第２態様のケア計画画面６３ｂは、図１８に示す第１態様のケア計画画面６３ａに類似し、メニューバー領域５１１と、ケア対象者表示領域６３１と、前記ケア対象者表示領域６３１に表示されたケア対象者Ｏｂにおける未実施のケア計画要素を、処理Ｓ１５２でケア計画ソート処理部２２３１でソートされた順に従って一覧で表示するケア計画表示領域６３２ｂとを備える。この第２態様のケア計画画面６３ｂにおけるケア計画表示領域６３２ｂは、経過後未実施ケア計画要素を表示するケア計画表示領域６２２ｂを点滅点灯で表示し、経過前未実施ケア計画要素を表示するケア計画表示領域６２２ａを常時点灯で表示する点を除き、第１態様のケア計画画面６３ａにおけるケア計画表示領域６３２ａと同様である。図２１に示す例では、「１６：５０、水分ケア」が前記経過後未実施ケア計画要素であり、「１７：４０、排泄ケア」、「１８：００、食事ケア」および「１９：００、バイタル」それぞれが経過前未実施ケア計画要素であるため、「水分ケア、１６：５０」を表示する「水分ケア」領域６３２ｂ−１が点滅点灯で表示され、「排泄ケア、１７：４０」を表示する「排泄ケア」領域６３２ａ−２、「食事ケア、１８：００」を表示する「食事ケア」領域６３２ａ−３、および、「バイタル、１９：００」を表示する「バイタル」領域６３２ａ−４が常時点灯で表示されている。
【０１７１】
このような第２態様のケア計画画面６３ｂを作成するために、上述の処理Ｓ１５３において、ケア計画出力処理部２２３２は、時計部２２５から現在の年月日時分を取得し、実施予定時刻が時計部２２５から取得した現在の年月日時分より前である未実施のケア計画要素を表示するケア計画表示領域６２２ｂを点滅点灯で表示するように、かつ、実施予定時刻が時計部２２５から取得した現在の年月日時分以後である未実施のケア計画要素を表示するケア計画表示領域６２２ａを常時点灯で表示するように、所定のマークアップ言語で第２態様のケア計画画面６３ｂを作成する。
【０１７２】
なお、上述の実施形態において、第１態様のケア計画画面６２ａに代え、第３態様のケア計画画面が用いられても良い。この第３態様のケア計画画面では、ケア計画ソート処理部２２３１でソートされた複数のケア計画要素の中で、前記所定の順の順位が最も高いケア計画要素は、記録書式で表示される。この場合では、ケア計画出力処理部２２３２は、前記ケア計画を表示する場合に前記ケア計画ソート処理部２２３１でソートされた順で表示するように、前記ケア計画ソート処理部でソートした未実施のケア計画要素を出力する際に、ケア計画ソート処理部２２３１でソートされた複数のケア計画要素の中で、前記所定の順の順位が最も高いケア計画要素の出力に代え、前記所定の順の順位が最も高いケア計画要素に対応する記録書式を出力し、残余の未実施のケア計画要素を、前記ケア計画ソート処理部でソートされた順で表示するように、出力する。これによれば、ケア者が前記所定の順の順位が最も高いケア計画要素を、これから実施するケアの種類として決定し、そのケアを実施した場合には、記録書式を表示させる指示の入力操作が省略できる。すなわち、処理Ｃ１７および処理Ｃ１８が省略できる。
【０１７３】
図２２は、前記被監視者監視システムにおける第３態様のケア計画表示画面の一例を示す図である。この図２２に示す第３態様のケア計画画面６５は、メニューバー領域５１１と、ケア対象者表示領域６５１と、記録書式表示領域６５２と、ケア計画表示領域６５３とを備える。
【０１７４】
前記ケア対象者表示領域６５１は、ケア計画およびケア記録の対象者であるケア対象者Ｏｂ（対象者選択画面６２で選択されたケア対象者Ｏｂ（処理Ｃ１５で通知された選択対象者通知通信信号に収容されたケア対象者Ｏｂ））、ならびに、ケア計画ソート処理部２２３１でソートされた複数のケア計画要素の中で、前記所定の順の順位が最も高いケア計画要素におけるケアの実施予定時刻およびケアの種類名を表示する領域である。前記ケア対象者表示領域６５１には、ケアの種類名がテキストで表示されても良いが、図２２に示す例では、ケアの種類名は、ケア種類アイコンで表示される。
【０１７５】
前記記録書式表示領域６５２は、ケア計画ソート処理部２２３１でソートされた複数のケア計画要素の中で、前記所定の順の順位が最も高いケア計画要素（本実施形態では実施予定時刻が最も早いケア計画要素）に対応する記録書式を表示する領域であり、この第３態様のケア計画画面６５では、メニューバー領域５１１およびケア対象者表示領域６３１を除いた記録書式画面６４と同様の画面が表示される。図２２に示す例では、前記記録書式表示領域６５２には、水分補給ケア用記録書式画面が表示されている。この水分補給ケア用記録書式画面は、水分補給ケア用の記録書式を表示する画面であって、実施した水分補給ケアの内容をケア記録として入力するための画面である。前記水分補給ケア用記録書式画面は、例えば、ケア記録入力領域６５２−１、６５２−２と、共有化チェックボックス（□）と、「送信する」ボタン６５２−３とを備える。図２２には、前記水分補給ケア用記録書式画面６５２におけるケア記録入力領域６５２−１、６５２−２および「送信する」ボタン６５２−３が図示され、前記共有化チェックボックス（□）は、図示されていない。このように、記録書式表示領域６５２より、記録書式画面（図２２に示す例では水分補給ケア用記録書式画面）における前記ケア記録入力領域および前記共有化チェックボックスの表示領域が広く、全ての前記記録書式画面が記録書式表示領域６５２に表示できない場合には、例えばフリック（ｆｌｉｃｋ  ｉｎｐｕｔ）によって記録書式表示領域６５２に表示される前記記録書式画面の領域部分が変更（例えばスクロール等）され、記録書式表示領域６５２に表示されていない前記記録書式画面の他の領域部分が表示できるようになっている。前記ケア記録入力領域６５２−１、６５２−２は、前記ケア記録入力領域６４１ａ、６４１ｂと同様に、ケアの内容として入力すべき入力項目を表示して前記入力項目に応じたケアの内容をケア記録として入力する領域である。水分補給ケア用の記録書式では、例えば、前記入力項目として摂取した水分の摂取量、前記水分の種類、メモおよびケア実施時刻であり、これらを入力するための各領域を備える。前記水分補給ケア用記録書式画面における前記共有化チェックボックス（□）および「送信する」ボタン６５２−３は、それぞれ、前記食事ケア用記録書式画面６４ａにおける前記共有化チェックボックス（□）６４２および「送信する」ボタン６４３と同様であるので、その説明を省略する。
【０１７６】
前記ケア計画表示領域６５３は、ケア計画ソート処理部２２３１でソートされた複数のケア計画要素の中で、前記所定の順の順位が最も高いケア計画要素を除く残余の未実施のケア計画要素を、前記ケア計画表示領域６３２と同様に、前記ケア計画ソート処理部２２３１でソートされた順に従って一覧で表示する領域である。
【０１７７】
このような第２態様のケア計画画面６３ｂを作成するために、上述の処理Ｓ１５３において、ケア計画出力処理部２２３２は、まず、ケア計画ソート処理部２２３１でソートされた複数のケア計画要素の中で、前記所定の順の順位が最も高いケア計画要素（本実施形態では実施予定時刻が最も早いケア計画要素）に対応する記録書式の電子ファイルを書式情報記憶部２３５から取り出す。次に、ケア計画出力処理部２２３２は、この取り出した記録書式の電子ファイルによる記録書式画面（ケア記録入力領域６５２、共有化チェックボックス（□）および「送信する」ボタン６５２）を前記記録書式表示領域６５２に表示し、ケア計画ソート処理部２２３１でソートされた複数のケア計画要素の中で、前記所定の順の順位が最も高いケア計画要素を除く残余の未実施のケア計画要素を、ケア計画ソート処理部２２３１でソートされた順に従って一覧で前記ケア計画表示領域６５３に表示する第３態様のケア計画画面６５を所定のマークアップ言語で作成する。そして、ケア計画出力処理部２２３２は、この作成した第３態様のケア計画画面６５を収容するケア計画通知通信信号を、処理Ｓ１１で受信した選択対象者通知通信信号の送信元宛に、生成する。
【０１７８】
また、上述の実施形態において、ケアの種類には、記録書式が予め用意されていないケアが含まれても良い。このような記録書式の無いケアとして、例えば、定期的な様子見や声かけ等が挙げられ、ケア対象者に異常が無いことが確認されると、ケア記録は、付けられない。このような記録書式の無いケアを表示するケア計画表示領域（ボタン）６３２ａ、６３２ｂが入力操作された場合には、管理サーバ装置ＳＶは、書式通知通信信号を端末装置ＳＰ、ＴＡへ送信せずに、端末装置ＳＰ、ＴＡからケア記録通知通信信号を受信したものとみなし、上述の処理Ｓ１７１を除く処理Ｓ１７（図１４に示す処理Ｓ１７２ないし処理Ｓ１７５の各処理）を実施する。
【０１７９】
本明細書は、上記のように様々な態様の技術を開示しているが、そのうち主な技術を以下に纏める。
【０１８０】
一態様にかかるケア計画出力装置は、互いに対応付けられたケアの実施予定時刻とケアの種類との組をケア計画要素として１または複数備えるケア計画を出力するケア計画出力装置であって、複数のケア対象者それぞれに対応付けられた複数のケア計画を記憶するケア計画情報記憶部と、前記複数のケア対象者の中から選択されたケア対象者を取得する選択ケア対象者取得部と、前記ケア計画情報記憶部に記憶した複数のケア計画に基づいて、所定の時点を基準に、所定の順で、前記選択ケア対象者取得部で取得したケア対象者における未実施のケア計画要素をソートするケア計画ソート処理部と、前記ケア計画を表示する場合に前記ケア計画ソート処理部でソートされた順で表示するように、前記ケア計画ソート処理部でソートした未実施のケア計画要素を出力するケア計画出力処理部とを備える。好ましくは、上述のケア計画出力装置において、前記所定の時点は、前記ソートの時点である。好ましくは、上述のケア計画出力装置において、前記所定の時点は、前記ケア計画を出力する指示（要求）を受け付けた時点である。好ましくは、上述のケア計画出力装置において、前記所定の順は、時刻に関する順である。好ましくは、上述のケア計画出力装置において、前記所定の順は、前記実施予定時刻順である。
【０１８１】
このようなケア計画出力装置は、前記所定の時点を基準に前記所定の順で、前記ケア対象者における未実施のケア計画要素をソートし、前記ケア計画を表示する場合にソートされた順で表示するように、前記未実施のケア計画要素を出力する。所定の時間間隔で実施されるケアにおける前記所定の時間間隔が、前記ケア対象者の事情や状況に応じて設定され、実際のケアを実施した後に前記所定の時間間隔で次回のケアが予定されることで、前記ケア計画を表示する場合に、前記ケア対象者における未実施のケア計画要素が、前記ケア対象者の状況や事情に応じてソートされる。このため、ケア者は、ソートされた未実施のケア計画要素を参照することで、前記ケア対象者の状況や事情に応じて優先的に実施すべき未実施のケア計画要素を認識できる。したがって、上記ケア計画出力装置は、ケア対象者の状況や事情に応じたより適切なケアを実施できる。上記ケア計画出力装置は、未実施のケア計画要素をソートし、表示するので、未実施のケア計画要素を比較でき、最初に実施すべきケア計画を適切に決定できる。
【０１８２】
他の一態様では、上述のケア計画出力装置において、前記ケア計画ソート処理部は、前記ケア計画情報記憶部に記憶した複数のケア計画における未実施のケア計画要素が実施済みに変更された場合に、前記変更後の複数のケア計画に基づいて、再度、ソートする。
【０１８３】
このようなケア計画出力装置は、前記変更後の複数のケア計画に基づいて、再度、ソートする。このため、実施済みのケア計画要素が表示から削除され、上記ケア計画出力装置は、前記ケア対象者に対するケアの進捗状況に応じたケア計画を表示するように、前記ケア計画を出力できる。
【０１８４】
他の一態様では、上述のケア計画出力装置において、前記ケア計画情報記憶部に記憶した複数のケア計画における未実施のケア計画要素が実施済みに変更された場合に、前記実施済みに変更されたケア計画要素の次回の実施予定時刻を求め、前記求めた実施予定時刻と前記実施済みに変更されたケア計画要素のケアの種類とを互いに対応付けて前記ケア計画情報記憶部に記憶することによって、前記ケア計画情報記憶部に記憶した複数のケア計画を更新するケア計画更新処理部をさらに備え、前記ケア計画ソート処理部は、前記変更後であって前記更新後の複数のケア計画に基づいて、再度、ソートする。
【０１８５】
このようなケア計画出力装置は、前記変更後であって前記更新後の複数のケア計画に基づいて、再度、ソートする。このため、上記ケア計画出力装置は、実施済みのケア計画要素について次回の予定を組み入れたケア計画要素を表示するように、前記ケア計画を出力できる。
【０１８６】
他の一態様では、上述のケア計画出力装置において、前記ケア計画は、所定の時間間隔で実施されるケアを含み、前記所定の順は、前記実施予定時刻順である。好ましくは、上述のケア計画出力装置において、前記所定の時間間隔で実施されるケアは、前記ケア対象者における水分の補給に関するケアである水分補給ケアである。好ましくは、上述のケア計画出力装置において、前記所定の時間間隔で実施されるケアは、前記ケア対象者における排泄に関するケアである排泄ケアである。好ましくは、上述のケア計画出力装置において、前記排泄ケアは、ケア対象者の排泄を介助する排泄介助、および、ケア対象者のおむつを交換するおむつ交換のうちの少なくとも一方を含む。
【０１８７】
これによれば、所定の時間間隔で実施されるケアを含むケア計画を好適に表示するように出力できるケア計画出力装置が提供できる。
【０１８８】
他の一態様では、これら上述のケア計画出力装置において、前記ケア計画は、１日における定時刻で実施されるケアを含み、前記所定の順は、前記実施予定時刻順である。好ましくは、上述のケア計画出力装置において、前記１日における定時刻に実施されるケアは、前記ケア対象者が起床した場合に実施される、少なくとも着替えを含むモーニングケアである。好ましくは、上述のケア計画出力装置において、前記１日における定時刻に実施されるケアは、ケア対象者の食事を介助する食事ケアである。
【０１８９】
これによれば、１日における定時刻に実施されるケアを含むケア計画を好適に表示するように出力できるケア計画出力装置が提供できる。
【０１９０】
他の一態様では、これら上述のケア計画出力装置において、計時を行う時計部をさらに備え、前記ケア計画出力処理部は、前記時計部から時刻を取得し、前記ケア計画ソート処理部でソートした未実施のケア計画要素の中に、実施予定時刻が前記時計部から取得した時刻よりも前であるケア計画要素が有る場合には、前記ケア計画を表示する場合に、実施予定時刻を経過したケア計画要素が有る旨の警告を表示するように、前記ケア計画ソート処理部でソートした未実施のケア計画要素を出力する。好ましくは、上述のケア計画出力装置において、前記ケア計画出力処理部は、前記ケア計画を表示する場合に、実施予定時刻が前記時計部から取得した時刻より前である未実施のケア計画要素と、実施予定時刻が前記時計部から取得した時刻以後である未実施のケア計画要素とを互いに異なる表示態様で表示するように、前記ケア計画ソート処理部でソートした未実施のケア計画要素を出力することで、前記警告を行う。
【０１９１】
このようなケア計画出力装置は、実施予定時刻を経過したケア計画要素が有る旨の警告を表示するので、ケア者は、前記警告の表示を参照することで、実施予定時刻を経過したケア計画要素が有ることを認識でき、より優先すべき未実施のケア計画要素を認識し易くなる。
【０１９２】
他の一態様にかかるケア計画出力方法は、互いに対応付けられたケアの実施予定時刻とケアの種類との組をケア計画要素として１または複数備えるケア計画を出力するケア計画出力方法であって、複数のケア対象者それぞれに対応付けられた複数のケア計画をケア計画情報記憶部に記憶するケア計画情報記憶工程と、前記複数のケア対象者の中から選択されたケア対象者を取得する選択ケア対象者取得工程と、前記ケア計画情報記憶部に記憶した複数のケア計画に基づいて、所定の時点を基準に、時刻に関する所定の優先順で、前記選択ケア対象者取得工程で取得したケア対象者における未実施のケア計画要素をソートするケア計画ソート処理工程と、前記ケア計画を表示する場合に前記ケア計画ソート処理工程でソートされた順で表示するように、前記ケア計画ソート処理工程でソートした未実施のケア計画要素を出力するケア計画出力処理工程とを備える。
【０１９３】
このようなケア計画出力方法は、前記所定の時点を基準に前記所定の順で、前記ケア対象者における未実施のケア計画要素をソートし、前記ケア計画を表示する場合にソートされた順で表示するように、前記未実施のケア計画要素を出力する。所定の時間間隔で実施されるケアにおける前記所定の時間間隔が、前記ケア対象者の事情や状況に応じて設定され、実際のケアを実施した後に前記所定の時間間隔で次回のケアが予定されることで、前記ケア計画を表示する場合に、前記ケア対象者における未実施のケア計画要素が、前記ケア対象者の状況や事情に応じてソートされる。このため、ケア者は、ソートされた未実施のケア計画要素を参照することで、前記ケア対象者の状況や事情に応じて優先的に実施すべき未実施のケア計画要素を認識できる。したがって、上記ケア計画出力方法は、ケア対象者の状況や事情に応じたより適切なケアを実施できる。また、上記ケア計画出力方法は、未実施のケア計画要素をソートし、表示するので、未実施のケア計画要素を比較でき、最初に実施すべきケア計画を適切に決定できる。
【０１９４】
他の一態様にかかるケア計画出力システムは、ケア計画を管理する第１中央管理装置と、前記第１中央管理装置に通信可能に接続される第１端末装置とを備えるケア計画出力システムであって、前記第１中央管理装置は、これら上述のいずれかのケア計画出力装置を含み、前記ケア計画出力処理部は、前記ケア計画ソート処理部でソートした未実施のケア計画要素を前記第１端末装置へ前記出力として送信し、前記第１端末装置は、前記ケア計画ソート処理部でソートした未実施のケア計画要素を前記第１中央管理装置から受信した場合に、前記受信した、前記ケア計画ソート処理部でソートした未実施のケア計画要素を、前記ケア計画ソート処理部でソートされた順で表示する。
【０１９５】
このようなケア計画出力システムは、これら上述のいずれかのケア計画出力装置を含む。したがって、上記ケア計画出力システムは、ケア対象者の状況や事情に応じたより適切なケアを実施でき、未実施のケア計画要素を比較でき、最初に実施すべきケア計画を適切に決定できる。
【０１９６】
他の一態様では、上述のケア計画出力システムにおいて、前記第１端末装置は、タッチパネルと、前記タッチパネルに表示を行う表示処理部と、前記第１中央管理装置との通信を処理する通信処理部とを備え、前記表示処理部は、前記ケア計画ソート処理部でソートした未実施のケア計画要素を、ケアの種類名で、前記ケア計画ソート処理部でソートされた順で表示し、前記タッチパネルにおける、前記ケアの種類名を表示する領域は、ケアの種類に対応して作成された前記ケアの内容をケア記録として入力するための記録書式を前記タッチパネルに表示させる指示を入力するためのボタンであり、前記通信処理部は、前記ボタンの入力操作を受け付けた場合に、前記入力操作を受け付けたボタンに表示されたケアの種類名に対応する記録書式を要求するための第１通信信号を前記第１中央管理装置へ送信し、記録書式を収容した第２通信信号を前記第１中央管理装置から受信した場合に、前記第２通信信号に収容された記録書式を前記表示処理部によって前記タッチパネルに表示させる。好ましくは、上述のケア計画出力システムにおいて、前記ケアの種類名を表示する領域に対応付けられた領域には、さらに、前記ケアの実施予定時刻が表示される。
【０１９７】
ケア計画を参照したケア者は、通常、ケアを決め、その決めたケアを実施する。ケアを実施すると、ケア者は、ケアの内容を、看護記録や介護記録等のケア記録を付ける。上記ケア計画出力システムでは、前記ケアの種類名を表示する領域は、前記記録書式を前記タッチパネルに表示させる指示を入力するためのボタンである。したがって、上記ケア計画出力システムでは、ケア者は、ケア計画を参照してケアの対象に決めたケア、の種類名を表示する領域を入力操作することで、記録書式をタッチパネルに表示でき、より少ない入力操作でケア記録を付けることができる。
【０１９８】
他の一態様では、上述のケア計画出力システムにおいて、前記第１端末装置は、前記記録書式を用いてケアの内容を受け付けた場合に、前記受け付けたケアの内容を収容する第３通信信号を前記第１中央管理装置へ送信するケア記録処理部をさらに備え、前記ケア計画情報記憶部は、ケア計画要素が未実施であるか実施済みであるかを表す実施状態情報を、前記ケア計画要素に、さらに対応付けて記憶し、前記第１中央管理装置は、前記第３通信信号を前記第１端末装置から受信した場合に、前記ケア計画情報記憶部に記憶した複数のケア計画において、前記受信した第３通信信号に収容されたケアに対応する未実施のケア計画要素を実施済みに変更するケア計画処理部をさらに備える。
【０１９９】
このようなケア計画出力システムでは、第１端末装置が記録書式を用いてケアの内容を受け付け、このケアの内容を第１中央管理装置へ送信し、このケアの内容を第１端末装置から受信した第１中央管理装置は、このケアに対応する未実施のケア計画要素を実施済みに変更（更新）する。したがって、ケアを実施したケア者は、そのケアのケア記録を付けるだけで、未実施のケア計画要素を実施済みに変更（更新）でき、別途、未実施のケア計画要素を実施済みに変更する操作が不要となる。
【０２００】
他の一態様にかかる被監視者監視システムは、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する第２中央管理装置、および、前記第２中央管理装置と通信可能に接続され前記第２中央管理装置を介して前記センサ装置で検知されたイベントの通知を受ける第２端末装置を備え、前記被監視者を監視するための被監視者監視システムであって、前記第２中央管理装置は、これら上述のいずれかのケア計画出力装置を含み、前記ケア計画出力処理部は、前記ケア計画ソート処理部でソートした未実施のケア計画要素を前記第２端末装置へ前記出力として送信し、前記第２端末装置は、前記ケア計画ソート処理部でソートした未実施のケア計画要素を前記第２中央管理装置から受信した場合に、前記受信した、前記ケア計画ソート処理部でソートした未実施のケア計画要素を、前記ケア計画ソート処理部でソートされた順で表示し、前記ケア対象者は、前記被監視者である。
【０２０１】
これによれば、これら上述のいずれかのケア計画出力装置を含む被監視者監視システムが提供できる。したがって、このような被監視者監視システムは、ケア対象者の状況や事情に応じたより適切なケアを実施できる。
【０２０２】
この出願は、明細書、クレーム、図面および要約を含む、２０１６年１２月１３日に出願された日本国特許出願特願２０１６−２４１６０２を基礎とするものであり、その全体の開示は、その全体において参照により本願に組み込まれる。
【０２０３】
本発明の実施形態が詳細に図示され、かつ、説明されたが、それは単なる図例及び実例であって限定ではない。本発明の範囲は、添付されたクレームの文言によって解釈されるべきである。
【０２０４】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０２０５】
本発明によれば、看護計画や介護計画等のケア計画を出力するケア計画出力装置、ケア計画出力方法およびケア計画出力システム、ならびに、前記ケア計画出力装置を含む被監視者監視システムが提供できる。
【図１】
2018110294.tif 000003
【図２】
2018110294.tif 000004
【図３】
2018110294.tif 000005
【図４】
2018110294.tif 000006
【図５】
2018110294.tif 000007
【図６】
2018110294.tif 000008
【図７】
2018110294.tif 000009
【図８】
2018110294.tif 000010
【図９】
2018110294.tif 000011
【図１０】
2018110294.tif 000012
【図１１】
2018110294.tif 000013
【図１２】
2018110294.tif 000014
【図１３】
2018110294.tif 000015
【図１４】
2018110294.tif 000016
【図１５】
2018110294.tif 000017
【図１６】
2018110294.tif 000018
【図１７】
2018110294.tif 000019
【図１８】
2018110294.tif 000020
【図１９】
2018110294.tif 000021
【図２０】
2018110294.tif 000022
【図２１】
2018110294.tif 000023
【図２２】
2018110294.tif 000024
【国際調査報告】
2018110294.tif 000025
2018110294.tif 000026
2018110294.tif 000027